(57)【特許請求の範囲】
【請求項１】
ドキュメント画像の閲覧を要求するための携帯端末と、ネットワークを介して前記携帯端末と接続され、前記携帯端末からの閲覧要求に応じて、前記ドキュメント画像を要求元の前記携帯端末に配信するドキュメント画像配信装置とを備えるドキュメント閲覧システムにおいて、
前記ドキュメント画像から表に対応する領域である表領域を抽出する表領域抽出処理を行う表領域抽出部と、
絞込み条件として予め設定された所定の領域を前記表領域から切り出すことにより、前記所定の領域のみに前記表領域を絞り込んだ絞込み画像を生成する絞込み処理を行う絞込み処理部と、
前記絞込み画像を要求元の前記携帯端末に配信する配信制御部とが前記ドキュメント画像配信装置に設けられ、
配信された前記絞込み画像を表示部に表示させる表示制御部が前記携帯端末に設けられ、
前記絞込み条件には、所定の文字列が設定され、
前記絞込み処理部は、前記絞込み条件として設定された文字列と一致する文字列を含む枡目を前記表領域から検出し、その検出した枡目に関連する各枡目を前記表領域から切り出して再構成することにより、前記絞込み画像を生成することを特徴とするドキュメント閲覧システム。
【請求項２】
ドキュメント画像の閲覧を要求するための携帯端末と、ネットワークを介して前記携帯端末と接続され、前記携帯端末からの閲覧要求に応じて、前記ドキュメント画像を要求元の前記携帯端末に配信するドキュメント画像配信装置とを備えるドキュメント閲覧システムにおいて、
前記ドキュメント画像から表に対応する領域である表領域を抽出する表領域抽出処理を行う表領域抽出部と、
絞込み条件として予め設定された所定の領域を前記表領域から切り出すことにより、前記所定の領域のみに前記表領域を絞り込んだ絞込み画像を生成する絞込み処理を行う絞込み処理部と、
前記絞込み画像を要求元の前記携帯端末に配信する配信制御部とが前記ドキュメント画像配信装置に設けられ、
配信された前記絞込み画像を表示部に表示させる表示制御部が前記携帯端末に設けられ、
前記絞込み条件には、前記ドキュメント画像上の任意の位置の座標情報が設定され、
前記絞込み処理部は、前記絞込み条件として設定された座標情報が示す位置にある前記表領域内の枡目を特定し、その特定した枡目に関連する各枡目を前記表領域から切り出すことにより、その切り出した領域を前記絞込み画像として生成することを特徴とするドキュメント閲覧システム。
【請求項３】
ドキュメント画像の閲覧を要求するための携帯端末と、ネットワークを介して前記携帯端末と接続され、前記携帯端末からの閲覧要求に応じて、前記ドキュメント画像を要求元の前記携帯端末に配信するドキュメント画像配信装置とを備えるドキュメント閲覧システムにおいて、
前記ドキュメント画像から表に対応する領域である表領域を抽出する表領域抽出処理を行う表領域抽出部と、
絞込み条件として予め設定された所定の領域を前記表領域から切り出すことにより、前記所定の領域のみに前記表領域を絞り込んだ絞込み画像を生成する絞込み処理を行う絞込み処理部と、
前記絞込み画像を要求元の前記携帯端末に配信する配信制御部とが前記ドキュメント画像配信装置に設けられ、
配信された前記絞込み画像を表示部に表示させる表示制御部が前記携帯端末に設けられ、
前記絞込み条件には、所定の文字列と、前記ドキュメント画像上の任意の位置の座標情報とが設定され、
前記絞込み処理部は、前記絞込み条件として設定された文字列と一致する文字列を含む枡目を前記表領域から検出し、その検出した枡目に関連する各枡目を前記表領域から切り出して再構成した後、前記絞込み条件として設定された座標情報が示す位置にある前記表領域内の枡目を特定し、その特定した枡目に関連する各枡目を前記再構成によって生成された画像から切り出すことにより、その切り出した領域を前記絞込み画像として生成することを特徴とするドキュメント閲覧システム。
【請求項４】
前記絞込み処理部は、前記絞込み条件として設定された座標情報が示す位置にある前記表領域内の枡目を特定し、その特定した枡目に関連する各枡目を切り出す場合、特定した枡目よりも大きい領域を切り出して前記絞込み画像を生成することを特徴とする請求項２又は３記載のドキュメント閲覧システム。
【請求項５】
前記絞込み処理部は、前記絞込み条件として設定された座標情報が示す位置にある前記表領域内の枡目を中心とし、この枡目から上下左右に拡大させた十字状の領域を切り出して前記絞込み画像を生成することを特徴とする請求項４記載のドキュメント閲覧システム。
【請求項６】
ドキュメント画像の閲覧を要求するための携帯端末と、ネットワークを介して前記携帯端末と接続され、前記携帯端末からの閲覧要求に応じて、前記ドキュメント画像を要求元の前記携帯端末に配信するドキュメント画像配信装置とを備えるドキュメント閲覧システムにおいて、
前記ドキュメント画像から表に対応する領域である表領域を抽出する表領域抽出処理を行う表領域抽出部と、
絞込み条件として予め設定された所定の領域を前記表領域から切り出すことにより、前記所定の領域のみに前記表領域を絞り込んだ絞込み画像を生成する絞込み処理を行う絞込み処理部と、
前記絞込み画像を要求元の前記携帯端末に配信する配信制御部とが前記ドキュメント画像配信装置に設けられ、
配信された前記絞込み画像を表示部に表示させる表示制御部が前記携帯端末に設けられ、
前記表領域抽出部は、前記表領域の一番左の列の各枡目に対応する部分を表の縦軸の各項目が並ぶ縦軸領域として抽出するとともに、前記表領域の一番上の行の各枡目に対応する部分を表の横軸の各項目が並ぶ横軸領域として抽出し、さらに前記縦軸領域と前記横軸領域とに含まれる各枡目の交点に対応する枡目の部分をデータ領域として抽出し、
前記絞込み処理部は、前記絞込み条件に対応する前記データ領域内の領域を前記表領域から切り出すことにより、その領域をデータ領域絞込み画像として生成するとともに、前記縦軸領域の前記データ領域絞込み画像に対応する各項目の枡目の部分を前記表領域から切り出すことにより、その領域を縦軸領域絞込み画像として生成し、前記横軸領域の前記データ領域絞込み画像に対応する各項目の枡目の部分を前記表領域から切り出すことにより、その領域を横軸領域絞込み画像として生成し、
前記配信制御部は、前記絞込み処理部が生成した前記データ領域絞込み画像と、前記縦軸領域絞込み画像と、前記横軸領域絞込み画像とを要求元の前記携帯端末に配信することを特徴とするドキュメント閲覧システム。
【請求項７】
前記表示制御部は、前記表示部に表示可能な部分を前記データ領域絞込み画像から切り出すとともに、これに対応する部分を前記縦軸領域領域絞込み画像と前記横軸領域絞込み画像とのそれぞれから切り出し、それらの各画像をまとめて再構成することにより、前記各絞込み画像から合成絞込み画像を生成し、その合成絞込み画像を前記表示部に表示させることを特徴とする請求項６記載のドキュメント閲覧システム。
【請求項８】
ドキュメント画像の閲覧を要求するための携帯端末と、ネットワークを介して前記携帯端末と接続され、前記携帯端末からの閲覧要求に応じて、前記ドキュメント画像を要求元の前記携帯端末に配信するドキュメント画像配信装置とを備えるドキュメント閲覧システムにおいて、
前記ドキュメント画像から表に対応する領域である表領域を抽出する表領域抽出処理を行う表領域抽出部と、
絞込み条件として予め設定された所定の領域を前記表領域から切り出すことにより、前記所定の領域のみに前記表領域を絞り込んだ絞込み画像を生成する絞込み処理を行う絞込み処理部と、
前記絞込み画像を要求元の前記携帯端末に配信する配信制御部とが前記ドキュメント画像配信装置に設けられ、
配信された前記絞込み画像を表示部に表示させる表示制御部と、
自身の現在位置を示す端末位置情報を取得する端末位置情報取得手段とが前記携帯端末に設けられ、
前記絞込み処理部は、前記端末位置情報が示す位置の地名の文字列と一致する文字列を含む枡目を前記表領域から検出し、その検出した枡目に関連する各枡目を前記表領域から切り出し、それらを再構成して前記絞込み画像を生成することにより、前記表領域に含まれる各情報から要求元の前記携帯端末の現在位置に応じた情報のみを閲覧できるようにすることを特徴とするドキュメント閲覧システム。
【請求項９】
前記携帯端末は、前記絞込み条件を設定するための絞込み条件設定手段を有し、
前記絞込み処理部は、前記絞込み条件設定手段で設定された前記絞込み条件に応じた前記絞込み画像を生成することを特徴とする請求項１から８のいずれか１項に記載のドキュメント閲覧システム。
【請求項１０】
前記ドキュメント画像配信装置は、前記ドキュメント画像の閲覧が要求された際に、そのドキュメント画像に含まれる前記表領域の情報を表インデックス情報として生成する表インデックス情報生成部を備え、
前記配信制御部は、前記表インデックス情報の配信も行い、
前記表示制御部は、前記表インデックス情報を基に、閲覧を要求した前記ドキュメント画像に含まれる前記表領域の情報を一覧表示し、これらの情報を介して閲覧したい前記表領域を指定できるようにするインデックス表示画面を生成し、そのインデックス表示画面を前記表示部に表示させることを特徴とする請求項１から９のいずれか１項に記載のドキュメント閲覧システム。
【請求項１１】
前記ドキュメント画像配信装置は、前記絞込み画像が前記表領域の全体の何処に位置しているかを示すナビゲータ画像を生成するナビゲータ画像生成部を備え、
前記配信制御部は、前記ナビゲータ画像の配信も行い、
前記表示制御部は、前記絞込み画像と前記ナビゲータ画像とを前記表示部に表示させることを特徴とする請求項１から１０のいずれか１項に記載のドキュメント閲覧システム。
【請求項１２】
前記ドキュメント画像配信装置は、抽出した前記表領域の前記ドキュメント画像上における位置の座標情報を前記表領域抽出処理の結果として記憶するとともに、前記絞込み画像を生成する際に前記表領域から切り出した領域の前記ドキュメント画像上における位置の座標情報を前記絞込み処理の結果として記憶するデータ記憶部を備え、
前記絞込み処理部に前記絞込み処理を実行させる際に、前記データ記憶部に記憶されている各情報を基に、過去に同じ前記絞込み条件で前記絞込み処理が行われたか否かを判定し、行われている場合には、対応する前記座標情報を前記データ記憶部から読み出し、その座標情報を用いて前記絞込み画像の生成を行うことを特徴とする請求項１から１１のいずれか１項に記載のドキュメント閲覧システム。
【請求項１３】
前記ドキュメント画像配信装置は、抽出した前記表領域の前記ドキュメント画像上における位置の座標情報を前記表領域抽出処理の結果として記憶し、前記絞込み画像を生成する際に前記表領域から切り出した領域の前記ドキュメント画像上における位置の座標情報を前記絞込み処理の結果として記憶するとともに、前記絞込み処理で生成された前記絞込み画像を記憶するデータ記憶部を備え、
前記絞込み処理部に前記絞込み処理を実行させる際に、前記データ記憶部に記憶されている各情報を基に、過去に同じ前記絞込み条件で前記絞込み処理が行われたか否かを判定し、行われている場合には、前記データ記憶部から読み出すことで対応する前記絞込み画像を取得することを特徴とする請求項１から１１のいずれか１項に記載のドキュメント閲覧システム。
【請求項１４】
前記絞込み処理部は、要求元の前記携帯端末の画面サイズの情報を基に、この画面サイズに適したサイズに拡大又は縮小して前記絞込み画像を生成することを特徴とする請求項１から１３のいずれか１項に記載のドキュメント閲覧システム。
【請求項１５】
携帯端末からの閲覧要求に応じて、所定のドキュメント画像を要求元の前記携帯端末に配信するドキュメント画像配信装置において、
前記ドキュメント画像から表に対応する領域である表領域を抽出する表領域抽出処理を行う表領域抽出部と、
絞込み条件として予め設定された所定の領域を前記表領域から切り出すことにより、前記所定の領域のみに前記表領域を絞り込んだ絞込み画像を生成する絞込み処理を行う絞込み処理部と、
前記絞込み画像を要求元の前記携帯端末に配信する配信制御部とを備え、
前記絞込み条件には、所定の文字列が設定され、
前記絞込み処理部は、前記絞込み条件として設定された文字列と一致する文字列を含む枡目を前記表領域から検出し、その検出した枡目に関連する各枡目を前記表領域から切り出して再構成することにより、前記絞込み画像を生成することを特徴とするドキュメント画像配信装置。
【請求項１６】
携帯端末からの閲覧要求に応じて、所定のドキュメント画像を要求元の前記携帯端末に配信するドキュメント画像配信装置において、
前記ドキュメント画像から表に対応する領域である表領域を抽出する表領域抽出処理を行う表領域抽出部と、
絞込み条件として予め設定された所定の領域を前記表領域から切り出すことにより、前記所定の領域のみに前記表領域を絞り込んだ絞込み画像を生成する絞込み処理を行う絞込み処理部と、
前記絞込み画像を要求元の前記携帯端末に配信する配信制御部とを備え、
前記絞込み条件には、前記ドキュメント画像上の任意の位置の座標情報が設定され、
前記絞込み処理部は、前記絞込み条件として設定された座標情報が示す位置にある前記表領域内の枡目を特定し、その特定した枡目に関連する各枡目を前記表領域から切り出すことにより、その切り出した領域を前記絞込み画像として生成することを特徴とするドキュメント画像配信装置。
【請求項１７】
携帯端末からの閲覧要求に応じて、所定のドキュメント画像を要求元の前記携帯端末に配信するドキュメント画像配信装置において、
前記ドキュメント画像から表に対応する領域である表領域を抽出する表領域抽出処理を行う表領域抽出部と、
絞込み条件として予め設定された所定の領域を前記表領域から切り出すことにより、前記所定の領域のみに前記表領域を絞り込んだ絞込み画像を生成する絞込み処理を行う絞込み処理部と、
前記絞込み画像を要求元の前記携帯端末に配信する配信制御部とを備え、
前記絞込み条件には、所定の文字列と、前記ドキュメント画像上の任意の位置の座標情報とが設定され、
前記絞込み処理部は、前記絞込み条件として設定された文字列と一致する文字列を含む枡目を前記表領域から検出し、その検出した枡目に関連する各枡目を前記表領域から切り出して再構成した後、前記絞込み条件として設定された座標情報が示す位置にある前記表領域内の枡目を特定し、その特定した枡目に関連する各枡目を前記再構成によって生成された画像から切り出すことにより、その切り出した領域を前記絞込み画像として生成することを特徴とするドキュメント画像配信装置。
【請求項１８】
携帯端末からの閲覧要求に応じて、所定のドキュメント画像を要求元の前記携帯端末に配信するドキュメント画像配信装置において、
前記ドキュメント画像から表に対応する領域である表領域を抽出する表領域抽出処理を行う表領域抽出部と、
絞込み条件として予め設定された所定の領域を前記表領域から切り出すことにより、前記所定の領域のみに前記表領域を絞り込んだ絞込み画像を生成する絞込み処理を行う絞込み処理部と、
前記絞込み画像を要求元の前記携帯端末に配信する配信制御部とを備え、
前記表領域抽出部は、前記表領域の一番左の列の各枡目に対応する部分を表の縦軸の各項目が並ぶ縦軸領域として抽出するとともに、前記表領域の一番上の行の各枡目に対応する部分を表の横軸の各項目が並ぶ横軸領域として抽出し、さらに前記縦軸領域と前記横軸領域とに含まれる各枡目の交点に対応する枡目の部分をデータ領域として抽出し、
前記絞込み処理部は、前記絞込み条件に対応する前記データ領域内の領域を前記表領域から切り出すことにより、その領域をデータ領域絞込み画像として生成するとともに、前記縦軸領域の前記データ領域絞込み画像に対応する各項目の枡目の部分を前記表領域から切り出すことにより、その領域を縦軸領域絞込み画像として生成し、前記横軸領域の前記データ領域絞込み画像に対応する各項目の枡目の部分を前記表領域から切り出すことにより、その領域を横軸領域絞込み画像として生成し、
前記配信制御部は、前記絞込み処理部が生成した前記データ領域絞込み画像と、前記縦軸領域絞込み画像と、前記横軸領域絞込み画像とを要求元の前記携帯端末に配信することを特徴とするドキュメント画像配信装置。
【請求項１９】
携帯端末からの閲覧要求に応じて、所定のドキュメント画像を要求元の前記携帯端末に配信するドキュメント画像配信装置において、
前記ドキュメント画像から表に対応する領域である表領域を抽出する表領域抽出処理を行う表領域抽出部と、
絞込み条件として予め設定された所定の領域を前記表領域から切り出すことにより、前記所定の領域のみに前記表領域を絞り込んだ絞込み画像を生成する絞込み処理を行う絞込み処理部と、
前記絞込み画像を要求元の前記携帯端末に配信する配信制御部とを備え、
前記絞込み処理部は、前記携帯端末から取得した端末位置情報が示す前記携帯端末の現在の位置の地名の文字列と一致する文字列を含む枡目を前記表領域から検出し、その検出した枡目に関連する各枡目を前記表領域から切り出し、それらを再構成して前記絞込み画像を生成することにより、前記表領域に含まれる各情報から要求元の前記携帯端末の現在位置に応じた情報のみを閲覧できるようにすることを特徴とするドキュメント画像配信装置。
【請求項２０】
ドキュメント画像の閲覧を要求するための携帯端末と、ネットワークを介して前記携帯端末と接続され、前記携帯端末からの閲覧要求に応じて、前記ドキュメント画像を要求元の前記携帯端末に配信するドキュメント画像配信装置とを備えるドキュメント閲覧システムのドキュメント閲覧方法において、
前記ドキュメント画像から表に対応する領域である表領域を抽出する抽出ステップと、
絞込み条件として予め設定された所定の領域を前記表領域から切り出すことにより、前記所定の領域のみに前記表領域を絞り込んだ絞込み画像を生成する絞込みステップと、
前記絞込み画像を要求元の前記携帯端末に配信する配信ステップと、
配信された前記絞込み画像を前記携帯端末の表示部に表示させる表示ステップとを有し、
前記絞込み条件には、所定の文字列が設定され、
前記絞込みステップは、前記絞込み条件として設定された文字列と一致する文字列を含む枡目を前記表領域から検出し、その検出した枡目に関連する各枡目を前記表領域から切り出して再構成することにより、前記絞込み画像を生成することを特徴とするドキュメント閲覧方法。
【請求項２１】
ドキュメント画像の閲覧を要求するための携帯端末と、ネットワークを介して前記携帯端末と接続され、前記携帯端末からの閲覧要求に応じて、前記ドキュメント画像を要求元の前記携帯端末に配信するドキュメント画像配信装置とを備えるドキュメント閲覧システムのドキュメント閲覧方法において、
前記ドキュメント画像から表に対応する領域である表領域を抽出する抽出ステップと、
絞込み条件として予め設定された所定の領域を前記表領域から切り出すことにより、前記所定の領域のみに前記表領域を絞り込んだ絞込み画像を生成する絞込みステップと、
前記絞込み画像を要求元の前記携帯端末に配信する配信ステップと、
配信された前記絞込み画像を前記携帯端末の表示部に表示させる表示ステップとを有し、
前記絞込み条件には、前記ドキュメント画像上の任意の位置の座標情報が設定され、
前記絞込みステップは、前記絞込み条件として設定された座標情報が示す位置にある前記表領域内の枡目を特定し、その特定した枡目に関連する各枡目を前記表領域から切り出すことにより、その切り出した領域を前記絞込み画像として生成することを特徴とするドキュメント閲覧方法。
【請求項２２】
ドキュメント画像の閲覧を要求するための携帯端末と、ネットワークを介して前記携帯端末と接続され、前記携帯端末からの閲覧要求に応じて、前記ドキュメント画像を要求元の前記携帯端末に配信するドキュメント画像配信装置とを備えるドキュメント閲覧システムのドキュメント閲覧方法において、
前記ドキュメント画像から表に対応する領域である表領域を抽出する抽出ステップと、
絞込み条件として予め設定された所定の領域を前記表領域から切り出すことにより、前記所定の領域のみに前記表領域を絞り込んだ絞込み画像を生成する絞込みステップと、
前記絞込み画像を要求元の前記携帯端末に配信する配信ステップと、
配信された前記絞込み画像を前記携帯端末の表示部に表示させる表示ステップとを有し、
前記絞込み条件には、所定の文字列と、前記ドキュメント画像上の任意の位置の座標情報とが設定され、
前記絞込みステップは、前記絞込み条件として設定された文字列と一致する文字列を含む枡目を前記表領域から検出し、その検出した枡目に関連する各枡目を前記表領域から切り出して再構成した後、前記絞込み条件として設定された座標情報が示す位置にある前記表領域内の枡目を特定し、その特定した枡目に関連する各枡目を前記再構成によって生成された画像から切り出すことにより、その切り出した領域を前記絞込み画像として生成することを特徴とするドキュメント閲覧方法。
【請求項２３】
ドキュメント画像の閲覧を要求するための携帯端末と、ネットワークを介して前記携帯端末と接続され、前記携帯端末からの閲覧要求に応じて、前記ドキュメント画像を要求元の前記携帯端末に配信するドキュメント画像配信装置とを備えるドキュメント閲覧システムのドキュメント閲覧方法において、
前記ドキュメント画像から表に対応する領域である表領域を抽出する抽出ステップと、
絞込み条件として予め設定された所定の領域を前記表領域から切り出すことにより、前記所定の領域のみに前記表領域を絞り込んだ絞込み画像を生成する絞込みステップと、
前記絞込み画像を要求元の前記携帯端末に配信する配信ステップと、
配信された前記絞込み画像を前記携帯端末の表示部に表示させる表示ステップとを有し、
前記抽出ステップは、前記表領域の一番左の列の各枡目に対応する部分を表の縦軸の各項目が並ぶ縦軸領域として抽出するとともに、前記表領域の一番上の行の各枡目に対応する部分を表の横軸の各項目が並ぶ横軸領域として抽出し、さらに前記縦軸領域と前記横軸領域とに含まれる各枡目の交点に対応する枡目の部分をデータ領域として抽出し、
前記絞込みステップは、前記絞込み条件に対応する前記データ領域内の領域を前記表領域から切り出すことにより、その領域をデータ領域絞込み画像として生成するとともに、前記縦軸領域の前記データ領域絞込み画像に対応する各項目の枡目の部分を前記表領域から切り出すことにより、その領域を縦軸領域絞込み画像として生成し、前記横軸領域の前記データ領域絞込み画像に対応する各項目の枡目の部分を前記表領域から切り出すことにより、その領域を横軸領域絞込み画像として生成し、
前記配信ステップは、前記絞込みステップで生成した前記データ領域絞込み画像と、前記縦軸領域絞込み画像と、前記横軸領域絞込み画像とを要求元の前記携帯端末に配信することを特徴とするドキュメント閲覧方法。
【請求項２４】
ドキュメント画像の閲覧を要求するための携帯端末と、ネットワークを介して前記携帯端末と接続され、前記携帯端末からの閲覧要求に応じて、前記ドキュメント画像を要求元の前記携帯端末に配信するドキュメント画像配信装置とを備えるドキュメント閲覧システムのドキュメント閲覧方法において、
前記ドキュメント画像から表に対応する領域である表領域を抽出する抽出ステップと、
絞込み条件として予め設定された所定の領域を前記表領域から切り出すことにより、前記所定の領域のみに前記表領域を絞り込んだ絞込み画像を生成する絞込みステップと、
前記絞込み画像を要求元の前記携帯端末に配信する配信ステップと、
配信された前記絞込み画像を前記携帯端末の表示部に表示させる表示ステップとを有し、
前記絞込みステップは、前記携帯端末から取得した端末位置情報が示す前記携帯端末の現在の位置の地名の文字列と一致する文字列を含む枡目を前記表領域から検出し、その検出した枡目に関連する各枡目を前記表領域から切り出し、それらを再構成して前記絞込み画像を生成することにより、前記表領域に含まれる各情報から要求元の前記携帯端末の現在位置に応じた情報のみを閲覧できるようにすることを特徴とするドキュメント閲覧方法。
【発明の詳細な説明】
【技術分野】
【０００１】
本発明は、ドキュメント画像の閲覧を要求するための携帯端末と、ネットワークを介して携帯端末と接続され、携帯端末からの閲覧要求に応じて、ドキュメント画像を要求元の携帯端末に配信するドキュメント画像配信装置とからなるドキュメント閲覧システム、及びそのドキュメント画像配信装置、並びにそのドキュメント閲覧方法に関する。
【背景技術】
【０００２】
社内で作成されたドキュメントファイル（文書作成ソフト、表計算ソフト、プレゼンテーションソフトなどのアプリケーションソフトウェアで作成された電子ファイル）を画像に変換し、ドキュメント画像として携帯端末に配信することにより、社内のドキュメントファイルを社外でも閲覧できるようにするドキュメント閲覧システムが、例えば、特許文献１などで知られている。
【０００３】
上記ドキュメント閲覧システムでは、ドキュメント画像を介してドキュメントファイルの内容を閲覧することはできるが、テキスト（文字又は文字列）や図表などの情報を編集することはできない。これにより、上記ドキュメント閲覧システムでは、これらの情報がコピーされ、携帯端末に残ってしまうことによる社内の機密情報の漏洩を防ぐ、シンクライアントなシステムとすることができる。
【０００４】
ところで、携帯端末は、ドキュメントファイルの作成を行う社内のＰＣなどに比べてディスプレイの画面サイズが小さい。このため、文字などが判読できるように表示しようとすると、携帯端末には、ドキュメント画像の一部分しか表示することができない場合が多い。従って、携帯端末でドキュメント画像を閲覧する際には、縦スクロールや横スクロールを繰り返し行って画面を移動させなければならず、必ずしも閲覧性がよいものではなかった。特に、横スクロールが必要になると、次の行の先頭に移動するために反対方向への移動が必要になり、非常に煩わしい。
【０００５】
そこで、特許文献１では、ドキュメント画像を文字毎に分割することによって、ドキュメント画像に含まれる各文字に応じた文字領域画像を生成するとともに、これらの各文字領域画像を携帯端末に配信し、携帯端末の画面サイズ及び表示倍率に合わせて各文字領域画像を再構成して表示させるようにしている。こうすれば、横スクロールを行う必要がなくなり、縦スクロールのみでドキュメントファイルの内容を閲覧することができるようになるので、携帯端末で閲覧を行う際の閲覧性を向上させることができる。
【先行技術文献】
【特許文献】
【０００６】
【特許文献１】特開２００６−２６０３０４号公報
【発明の概要】
【発明が解決しようとする課題】
【０００７】
ドキュメント画像には、その一部に表を含むもの、あるいは、表計算ソフトで作成されたドキュメントファイルに対応するドキュメント画像など、その全体が表で構成されているものも多い。こうした表を含むドキュメント画像を携帯端末で閲覧する際、上記特許文献１のように、ドキュメント画像を文字毎に分割し、画面サイズや表示倍率に合わせて各文字領域画像を再構成してしまうと、縦軸及び横軸の各枡目の関係が把握できなくなり、ドキュメントファイルの内容を正常に閲覧することができなくなってしまう。
【０００８】
とはいえ、画面サイズの小さい携帯端末でドキュメント画像をそのまま表示させてしまうと、前述のように、画面のスクロールや拡大縮小を頻繁に繰り返さなければならなくなり、閲覧性が悪いとともに、これにともなってサーバとの不要な通信が増え、ユーザの通信コストの負担増も招いてしまう。このため、ドキュメント閲覧システムでは、ドキュメント画像に表が含まれている場合にも、ドキュメントファイルの内容を正常に閲覧できるようにしつつ、閲覧性の向上を図ることが望まれている。
【０００９】
本発明は、上記課題を鑑みてなされたものであり、ドキュメント画像を配信するドキュメント閲覧システムにおいて、ドキュメント画像に表が含まれている場合にも、ドキュメントファイルの内容を正常に閲覧できるようにしつつ、閲覧性の向上を図ることを目的とする。
【課題を解決するための手段】
【００１０】
上記目的を達成するため、本発明のドキュメント閲覧システムは、ドキュメント画像の閲覧を要求するための携帯端末と、ネットワークを介して前記携帯端末と接続され、前記携帯端末からの閲覧要求に応じて、前記ドキュメント画像を要求元の前記携帯端末に配信するドキュメント画像配信装置とを備え、前記ドキュメント画像から表に対応する領域である表領域を抽出する表領域抽出処理を行う表領域抽出部と、絞込み条件として予め設定された所定の領域を前記表領域から切り出すことにより、前記所定の領域のみに前記表領域を絞り込んだ絞込み画像を生成する絞込み処理を行う絞込み処理部と、前記絞込み画像を要求元の前記携帯端末に配信する配信制御部とを前記ドキュメント画像配信装置に設け、配信された前記絞込み画像を表示部に表示させる表示制御部を前記携帯端末に設け、前記絞込み条件には、所定の文字列を設定し、前記絞込み処理部は、前記絞込み条件として設定された文字列と一致する文字列を含む枡目を前記表領域から検出し、その検出した枡目に関連する各枡目を前記表領域から切り出して再構成することにより、前記絞込み画像を生成するものである。
【００１１】
また、本発明のドキュメント閲覧システムでは、絞込み条件には、ドキュメント画像上の任意の位置の座標情報が設定され、絞込み処理部が、絞込み条件として設定された座標情報が示す位置にある表領域内の枡目を特定し、その特定した枡目に関連する各枡目を表領域から切り出すことにより、その切り出した領域を絞込み画像として生成する。
【００１２】
また、本発明のドキュメント閲覧システムでは、絞込み条件には、所定の文字列と、ドキュメント画像上の任意の位置の座標情報とが設定され、絞込み処理部が、絞込み条件として設定された文字列と一致する文字列を含む枡目を前記表領域から検出し、その検出した枡目に関連する各枡目を前記表領域から切り出して再構成した後、絞込み条件として設定された座標情報が示す位置にある表領域内の枡目を特定し、その特定した枡目に関連する各枡目を再構成によって生成された画像から切り出すことにより、その切り出した領域を絞込み画像として生成する。
【００１３】
絞込み処理部は、絞込み条件として設定された座標情報が示す位置にある表領域内の枡目を特定し、その特定した枡目に関連する各枡目を切り出す場合、特定した枡目よりも大きい領域を切り出して絞込み画像を生成することが好ましい。また、絞込み処理部は、絞込み条件として設定された座標情報が示す位置にある表領域内の枡目を中心とし、この枡目から上下左右に拡大させた十字状の領域を切り出して絞込み画像を生成することも好ましい。
【００１４】
また、本発明のドキュメント閲覧システムでは、表領域抽出部は、表領域の一番左の列の各枡目に対応する部分を表の縦軸の各項目が並ぶ縦軸領域として抽出するとともに、表領域の一番上の行の各枡目に対応する部分を表の横軸の各項目が並ぶ横軸領域として抽出し、さらに縦軸領域と横軸領域とに含まれる各枡目の交点に対応する枡目の部分をデータ領域として抽出し、絞込み処理部は、絞込み条件に対応するデータ領域内の領域を表領域から切り出すことにより、その領域をデータ領域絞込み画像として生成するとともに、縦軸領域のデータ領域絞込み画像に対応する各項目の枡目の部分を表領域から切り出すことにより、その領域を縦軸領域絞込み画像として生成し、横軸領域のデータ領域絞込み画像に対応する各項目の枡目の部分を表領域から切り出すことにより、その領域を横軸領域絞込み画像として生成し、配信制御部は、絞込み処理部が生成した前記データ領域絞込み画像と、縦軸領域絞込み画像と、横軸領域絞込み画像とを要求元の携帯端末に配信する。
【００１５】
また、表示制御部は、表示部に表示可能な部分をデータ領域絞込み画像から切り出すとともに、これに対応する部分を縦軸領域領域絞込み画像と横軸領域絞込み画像とのそれぞれから切り出し、それらの各画像をまとめて再構成することにより、各絞込み画像から合成絞込み画像を生成し、その合成絞込み画像を表示部に表示させることが好ましい。
【００１６】
また、本発明のドキュメント閲覧システムでは、自身の現在位置を示す端末位置情報を取得する端末位置情報取得手段を携帯端末に設け、絞込み処理部が、端末位置情報が示す位置の地名の文字列と一致する文字列を含む枡目を表領域から検出し、その検出した枡目に関連する各枡目を表領域から切り出し、それらを再構成して絞込み画像を生成することにより、表領域に含まれる各情報から要求元の携帯端末の現在位置に応じた情報のみを閲覧できるようにする。
【００１７】
携帯端末が絞込み条件を設定するための絞込み条件設定手段を有し、絞込み処理部が、絞込み条件設定手段で設定された絞込み条件に応じた絞込み画像を生成することが好ましい。また、ドキュメント画像配信装置が、ドキュメント画像の閲覧が要求された際に、そのドキュメント画像に含まれる表領域の情報を表インデックス情報として生成する表インデックス情報生成部を備え、配信制御部が、表インデックス情報の配信も行い、表示制御部が、表インデックス情報を基に、閲覧を要求したドキュメント画像に含まれる表領域の情報を一覧表示し、これらの情報を介して閲覧したい表領域を指定できるようにするインデックス表示画面を生成し、そのインデックス表示画面を表示部に表示させることが好ましい。さらに、ドキュメント画像配信装置が、前記絞込み画像が前記表領域の全体の何処に位置しているかを示すナビゲータ画像を生成するナビゲータ画像生成部を備え、配信制御部は、ナビゲータ画像の配信も行い、表示制御部が、絞込み画像とナビゲータ画像とを表示部に表示させることが好ましい。
【００１８】
ドキュメント画像配信装置は、抽出した表領域のドキュメント画像上における位置の座標情報を表領域抽出処理の結果として記憶するとともに、絞込み画像を生成する際に表領域から切り出した領域のドキュメント画像上における位置の座標情報を絞込み処理の結果として記憶するデータ記憶部を備え、絞込み処理部に絞込み処理を実行させる際に、データ記憶部に記憶されている各情報を基に、過去に同じ絞込み条件で絞込み処理が行われたか否かを判定し、行われている場合には、対応する座標情報をデータ記憶部から読み出し、その座標情報を用いて絞込み画像の生成を行うことが好ましい。
【００１９】
また、ドキュメント画像配信装置は、抽出した表領域のドキュメント画像上における位置の座標情報を表領域抽出処理の結果として記憶し、絞込み画像を生成する際に表領域から切り出した領域のドキュメント画像上における位置の座標情報を絞込み処理の結果として記憶するとともに、絞込み処理で生成された絞込み画像を記憶するデータ記憶部を備え、絞込み処理部に絞込み処理を実行させる際に、データ記憶部に記憶されている各情報を基に、過去に同じ絞込み条件で絞込み処理が行われたか否かを判定し、行われている場合には、データ記憶部から読み出すことで対応する絞込み画像を取得することが好ましい。
【００２０】
また、絞込み処理部は、要求元の携帯端末の画面サイズの情報を基に、この画面サイズに適したサイズに拡大又は縮小して絞込み画像を生成することが好ましい。
【００２１】
また、本発明のドキュメント画像配信装置は、携帯端末からの閲覧要求に応じて、所定のドキュメント画像を要求元の前記携帯端末に配信するものであり、表領域抽出部と、絞込み処理部と、配信制御部とを備える。
【００２２】
また、本発明のキュメント閲覧方法は、ドキュメント画像の閲覧を要求するための携帯端末と、ネットワークを介して携帯端末と接続され、携帯端末からの閲覧要求に応じて、ドキュメント画像を要求元の携帯端末に配信するドキュメント画像配信装置とを備えるドキュメント閲覧システムに用いられ、ドキュメント画像から表に対応する領域である表領域を抽出する抽出ステップと、絞込み条件として予め設定された所定の領域を表領域から切り出すことにより、所定の領域のみに表領域を絞り込んだ絞込み画像を生成する絞込みステップと、絞込み画像を要求元の携帯端末に配信する配信ステップと、配信された絞込み画像を携帯端末の表示部に表示させる表示ステップとを有し、絞込み条件には、所定の文字列が設定され、絞込みステップは、絞込み条件として設定された文字列と一致する文字列を含む枡目を表領域から検出し、その検出した枡目に関連する各枡目を表領域から切り出して再構成することにより、絞込み画像を生成するものである。
【００２３】
また、本発明のキュメント閲覧方法では、絞込み条件には、ドキュメント画像上の任意の位置の座標情報が設定され、絞込みステップは、絞込み条件として設定された座標情報が示す位置にある表領域内の枡目を特定し、その特定した枡目に関連する各枡目を表領域から切り出すことにより、その切り出した領域を前記絞込み画像として生成する。
【００２４】
また、本発明のドキュメント閲覧方法では、絞込み条件には、所定の文字列と、ドキュメント画像上の任意の位置の座標情報とが設定され、絞込みステップは、絞込み条件として設定された文字列と一致する文字列を含む枡目を表領域から検出し、その検出した枡目に関連する各枡目を表領域から切り出して再構成した後、絞込み条件として設定された座標情報が示す位置にある表領域内の枡目を特定し、その特定した枡目に関連する各枡目を再構成によって生成された画像から切り出すことにより、その切り出した領域を絞込み画像として生成する。
【００２５】
また、本発明のキュメント閲覧方法では、抽出ステップは、表領域の一番左の列の各枡目に対応する部分を表の縦軸の各項目が並ぶ縦軸領域として抽出するとともに、表領域の一番上の行の各枡目に対応する部分を表の横軸の各項目が並ぶ横軸領域として抽出し、さらに縦軸領域と横軸領域とに含まれる各枡目の交点に対応する枡目の部分をデータ領域として抽出し、絞込みステップは、絞込み条件に対応するデータ領域内の領域を表領域から切り出すことにより、その領域をデータ領域絞込み画像として生成するとともに、縦軸領域のデータ領域絞込み画像に対応する各項目の枡目の部分を表領域から切り出すことにより、その領域を縦軸領域絞込み画像として生成し、横軸領域のデータ領域絞込み画像に対応する各項目の枡目の部分を表領域から切り出すことにより、その領域を横軸領域絞込み画像として生成し、配信ステップは、絞込みステップで生成したデータ領域絞込み画像と、縦軸領域絞込み画像と、横軸領域絞込み画像とを要求元の携帯端末に配信する。
【００２６】
また、本発明のドキュメント閲覧方法は、絞込みステップは、携帯端末から取得した端末位置情報が示す携帯端末の現在の位置の地名の文字列と一致する文字列を含む枡目を表領域から検出し、その検出した枡目に関連する各枡目を表領域から切り出し、それらを再構成して絞込み画像を生成することにより、表領域に含まれる各情報から要求元の携帯端末の現在位置に応じた情報のみを閲覧できるようにする。
【発明の効果】
【００２７】
本発明では、ドキュメント画像から表に対応する領域である表領域を抽出し、絞込み条件として予め設定された所定の領域を表領域から切り出すことにより、所定の領域のみに表領域を絞り込んだ絞込み画像を生成し、その絞込み画像を要求元の携帯端末に配信して表示部に表示させるようにした。所定の領域を表領域から切り出して生成した絞込み画像では、元の表の各枡目の関係を適切に維持しつつ表示を行うことができるので、ドキュメント画像に表が含まれている場合にも、その内容が把握できなくなってしまう心配がない。また、絞込み画像では、ドキュメント画像をそのまま表示する場合に比べて大きく表示させることもできる。従って、本発明によれば、ドキュメント画像に表が含まれている場合にも、その内容を正常に閲覧できるようにしつつ、閲覧性の向上を図ることができる。
【図面の簡単な説明】
【００２８】
【図１】ドキュメント閲覧システムの構成を示す説明図である。
【図２】携帯電話の構成の概略を示すブロック図である。
【図３】配信処理サーバの構成の概略を示すブロック図である。
【図４】ドキュメント管理テーブルの一例を示す説明図である。
【図５】端末管理テーブルの一例を示す説明図である。
【図６】表領域抽出処理の概念を示す説明図である。
【図７】絞込み処理の概念を示す説明図である。
【図８】ファイル情報管理テーブルの一例を示す説明図である。
【図９】表解析テーブルの一例を示す説明図である。
【図１０】絞込みテーブルの一例を示す説明図である。
【図１１】絞込み領域テーブルの一例を示す説明図である。
【図１２】携帯電話に表示される画面の一例を示す説明図である。
【図１３】ドキュメント閲覧システムの処理の流れを概略的に示すフローチャートである。
【図１４】絞込み位置情報を絞込み条件とする際の配信処理サーバの構成の概略を示すブロック図である。
【図１５】絞込み位置情報を絞込み条件とする際の絞込み処理の概念を示す説明図である。
【図１６】絞込み位置情報を絞込み条件とする際の携帯電話に表示される画面の一例を示す説明図である。
【図１７】合成絞込み画像の生成例を示す説明図である。
【図１８】スクロールの指示に応じて合成絞込み画像を再生成する例を示す説明図である。
【図１９】ユーザが指定した表領域内の所定の位置を絞込み条件とする際の処理の流れを概略的に示すフローチャートである。
【図２０】絞込みキーと絞込み位置情報とを絞込み条件とする際の配信処理サーバの構成の概略を示すブロック図である。
【図２１】絞込みキーと絞込み位置情報とを絞込み条件とする際の絞込み処理の概念を示す説明図である。
【図２２】絞込みキーと絞込み位置情報とを絞込み条件とする際の処理の流れを概略的に示すフローチャートである。
【図２３】インデックス表示画面を介して所望の表を指定できるようにする際の配信処理サーバの構成の概略を示すブロック図である。
【図２４】インデックス表示画面の一例を示す説明図である。
【図２５】インデックス表示画面を介して所望の表を指定できるようにする際の処理の流れを概略的に示すフローチャートである。
【図２６】ナビゲータ画像を合成絞込み画像とともに表示させるようにする際の配信処理サーバの構成の概略を示すブロック図である。
【図２７】ナビゲータ画像の表示例を示す説明図である。
【図２８】位置情報リンク機能を有する携帯電話の構成の概略を示すブロック図である。
【図２９】閲覧要求画面の一例を示す説明図である。
【図３０】端末位置情報が示す位置の地名の文字列の情報を絞込み条件として設定した際の絞込み処理の概念を示す説明図である。
【発明を実施するための形態】
【００２９】
［第１実施形態］
図１に示すように、ドキュメント閲覧システム２は、ドキュメント画像配信部（ドキュメント画像配信装置）３と、携帯電話（携帯端末）４とで構成されている。携帯電話４は、基地局５と無線通信し、基地局５を介してインターネット６にアクセスすることにより、インターネット６を介してドキュメント画像配信部３と接続される。これにより、ドキュメント画像配信部３と携帯電話４とは、公衆ネットワークであるインターネット６を介して相互に通信を行うことができる。
【００３０】
ドキュメント画像配信部３は、企業のネットワーク内に設置されたシステムモジュールであり、配信処理サーバ１０とファイルサーバ１１とで構成されている。配信処理サーバ１０とファイルサーバ１１とは、社内のＬＡＮなどを介して互いに接続されている。
【００３１】
ファイルサーバ１１には、当該企業の社内で作成された種々のドキュメントファイル１４が保管されている。配信処理サーバ１０は、携帯電話４から所定のドキュメントファイル１４の閲覧が要求された際に、そのドキュメントファイル１４をファイルサーバ１１から読み出す。そして、読み出したドキュメントファイル１４に対して画像変換処理を行うことにより、当該ドキュメントファイル１４に応じた画像を生成し、その画像を要求元の携帯電話４に配信する。
【００３２】
ファイルサーバ１１に保管されている各ドキュメントファイル１４には、それぞれに固有のドキュメントＩＤが付与されている。ドキュメントＩＤは、各ドキュメントファイル１４を個別に識別するための識別情報であり、例えば、ドキュメントファイル１４を最初にファイルサーバ１１に保管した際に、保管順の通し番号として付与される。また、ドキュメントＩＤは、ドキュメントファイル１４のヘッダ部に書き込まれることによって、対応するドキュメントファイル１４と関連付けられて管理される。これにより、ファイルサーバ１１に保管された各ドキュメントファイル１４は、ヘッダ部に書き込まれたドキュメントＩＤを参照することによって、それぞれを容易に識別することができる。なお、ドキュメントＩＤは、対応するドキュメントファイル１４のファイル名などと関連付けて記憶するテーブルデータなどによって管理するようにしてもよい。また、ドキュメントＩＤは、数字のみならず記号や文字、あるいはこれらを組み合わせたものでもよい。
【００３３】
携帯電話４には、各種の情報を表示するための液晶ディスプレイ（表示部）２０と、各種の操作指示を入力するための操作部（絞込み条件設定手段）２１とが設けられている。操作部２１は、携帯電話４の外面に露呈して設けられた複数の操作入力部材からなる。これらの各操作入力部材には、例えば、押しボタンスイッチ、スライドスイッチ、十字キー、ジョグダイヤルなどといった周知の入力装置が用いられる。
【００３４】
携帯電話４は、操作部２１を介して入力されたユーザからの指示に応じてドキュメント画像配信部３にアクセスし、ドキュメント画像配信部３から配信された画像を液晶ディスプレイ２０に出力する。これにより、ユーザが要求したドキュメントファイル１４に応じた画像が液晶ディスプレイ２０に表示され、この画像を介してドキュメントファイル１４の内容をユーザが閲覧できるようになる。また、携帯電話４は、ユーザが画像の閲覧を終了させた後、取得した画像を内部のメモリから消去する。
【００３５】
このように、ドキュメント閲覧システム２は、携帯電話４からの要求に応じて画像を配信し、閲覧後にデータが携帯電話４に残らないようにすることによって、情報漏洩のリスクを抑えつつ、社内で作成されたドキュメントファイル１４の内容を社外でも閲覧できるようにするものである。
【００３６】
図２に示すように、携帯電話４には、液晶ディスプレイ２０、操作部２１の他に、ＣＰＵ（表示制御部）２２、システムメモリ２３、液晶ドライバ２４、無線通信部２５が設けられている。これらの各部は、バス２６を介して互いに接続されている。
【００３７】
システムメモリ２３は、携帯電話４を制御するための各種のプログラムやデータを記憶している。また、システムメモリ２３は、制御の過程で生じた種々のデータを一時的に記憶する。このシステムメモリ２３には、電源がＯＦＦになった際にも記憶した各データが消えないように、フラッシュメモリなどの不揮発性のメモリが用いられている。ＣＰＵ２２は、システムメモリ２３から各種のプログラムを読み出し、これを逐次処理することによって携帯電話４の各部を統括的に制御する。
【００３８】
また、システムメモリ２３には、ドキュメント閲覧システム２に対応するクライアントアプリケーションであるビューアプログラム２８がインストールされている。ＣＰＵ２２は、システムメモリ２３からビューアプログラム２８を読み出し、これを逐次処理することによって、ドキュメントファイル１４の内容を携帯電話４で閲覧するための種々の画面を液晶ディスプレイ２０に表示するビューアの機能をユーザに提供する。
【００３９】
ユーザは、携帯電話４を介してドキュメントファイル１４の閲覧を行う場合、まず操作部２１を操作してビューアプログラム２８の実行をＣＰＵ２２に指示することにより、ＣＰＵ２２にビューアを起動させる。そして、このビューアの起動に応じて液晶ディスプレイ２０に表示される種々の画面に従って操作指示を入力することにより、携帯電話４でドキュメントファイル１４の閲覧を行う。
【００４０】
ＣＰＵ２２には、操作部２１が接続されている。操作部２１は、携帯電話４の外面に露呈して設けられた各操作入力部材に対するユーザの操作指示を検知して、その検知結果をＣＰＵ２２に入力する。これにより、ユーザからの操作指示が操作部２１を介してＣＰＵ２２に入力される。
【００４１】
液晶ドライバ２４は、ＣＰＵ２２からの制御信号に応じて種々の画像データをシステムメモリ２３から読み出し、その画像データをアナログのコンポジット信号に変換して液晶ディスプレイ２０に出力する。ＣＰＵ２２は、操作部２１を介して入力されたユーザからの指示に応じて液晶ドライバ２４に制御信号を送り、種々の画面を液晶ディスプレイ２０に表示させる。無線通信部２５は、基地局５との間で無線通信を行い、基地局５と各種のデータを送受信する。
【００４２】
図３に示すように、配信処理サーバ１０は、ＣＰＵ（配信制御部）３０と、システムメモリ３１と、ネットワークインタフェース（Ｉ／Ｆ）３２と、ユーザ情報管理部３３と、画像変換部３４と、表領域抽出部３５と、絞込み処理部３６と、データ記憶部３７とを備えている。これらの各部は、バス３８を介して互いに接続されている。
【００４３】
システムメモリ３１には、ドキュメント閲覧システム２に対応したサーバプログラムである制御プログラム４０が記憶されている。ＣＰＵ３０は、この制御プログラム４０をシステムメモリ３１から読み出して逐次処理することにより、配信処理サーバ１０の各部を統括的に制御する。ネットワークＩ／Ｆ３２は、周知のモデムやルータなどであり、配信処理サーバ１０をインターネット６や社内のＬＡＮなどに接続する。
【００４４】
ユーザ情報管理部３３は、ドキュメント閲覧システム２を利用する各ユーザに関する各種の情報を保管するとともに、これらの情報を用いることにより、配信処理サーバ１０にドキュメントファイル１４の閲覧を要求したユーザに対して、そのドキュメントファイル１４の閲覧を認証するか否かを判定するユーザ認証処理を行う。
【００４５】
ユーザ情報管理部３３には、ドキュメント管理テーブル４２と端末管理テーブル４３とが設けられている。図４に示すように、ドキュメント管理テーブル４２は、各ドキュメントファイル１４に付与されたドキュメントＩＤと、そのドキュメントＩＤに対応するドキュメントファイル１４の閲覧を許可するユーザを特定するための管理ＩＤとを関連付けて記憶している。
【００４６】
ユーザ情報管理部３３は、ユーザからドキュメントファイル１４の閲覧が要求された際に、そのユーザの管理ＩＤ、及び要求されたドキュメントファイル１４のドキュメントＩＤを基にドキュメント管理テーブル４２を参照し、対応するドキュメントＩＤと関連付けてドキュメント管理テーブル４２に記憶された管理ＩＤと、閲覧を要求したユーザの管理ＩＤとが一致しているか否かを確認する。そして、ユーザ情報管理部３３は、ドキュメント管理テーブル４２に記憶されている管理ＩＤと、閲覧を要求したユーザの管理ＩＤとが一致している場合に、ドキュメントファイル１４の閲覧を認証すると判定し、一致していない場合に、ドキュメントファイル１４の閲覧を認証しないと判定する。
【００４７】
なお、管理ＩＤは、ユーザ毎に設定されるものでもよいし、特定のユーザグループ毎に設定されるものでもよい。また、図４では、１つのドキュメントＩＤに対して１つの管理ＩＤのみを関連付けている、すなわち１つのドキュメントファイル１４に対して閲覧を認証するユーザを１人あるいは１グループのみに限定しているが、これに限ることなく、１つのドキュメントＩＤに対して複数の管理ＩＤを関連付けることにより、複数人あるいは複数グループのユーザに対してドキュメントファイル１４の閲覧を認証するようにしてもよい。
【００４８】
図５に示すように、端末管理テーブル４３は、各ユーザが所有する携帯電話４の端末名の情報と、その携帯電話４に設けられた液晶ディスプレイ２０の画面サイズ（解像度）の情報とを関連付けて記憶している。ユーザ情報管理部３３は、閲覧を要求したユーザに対してドキュメントファイル１４の閲覧を認証すると判定した際に、そのユーザの携帯電話４の端末名を基に端末管理テーブル４３を参照することにより、その携帯電話４の画面サイズを確認する。そして、ユーザ情報管理部３３は、閲覧を要求したユーザの携帯電話４の画面サイズを確認したら、その画面サイズの情報をシステムメモリ３１に一時的に記憶させる。この画面サイズの情報は、携帯電話４に配信する画像を生成する際に用いられる。
【００４９】
画像変換部３４は、ＣＰＵ３０からの指示に応じてドキュメントファイル１４の仮想印刷を行うことにより、当該ドキュメントファイル１４の各ページのそれぞれに対応したドキュメント画像５０を生成する。この際、画像変換部３４は、システムメモリ３１に記憶された画面サイズの情報を基に、閲覧を要求したユーザの携帯電話４の画面サイズに適したサイズ（解像度）のドキュメント画像５０を生成する。また、画像変換部３４は、例えば、生成したドキュメント画像５０のヘッダ部に、基となったドキュメントファイル１４のドキュメントＩＤを記憶させておくことにより、どのドキュメントファイル１４のドキュメント画像５０であるかを容易に識別できるようにする。
【００５０】
表領域抽出部３５は、ＣＰＵ３０からの指示に応じて、図６に示すように、画像変換部３４が生成したドキュメント画像５０から表に対応する領域である表領域５２を抽出する表領域抽出処理を行う。ＣＰＵ３０は、画像変換部３４にドキュメント画像５０を生成させた際に、続けてそのドキュメント画像５０に対する表領域抽出処理の実行を表領域抽出部３５に指示する。
【００５１】
表領域抽出部３５は、例えば、周知のパターン認識技術などを用いて矩形状に区切られた領域をドキュメント画像５０から検出することにより、その領域を表領域５２として抽出する。また、この際、表領域抽出部３５は、表領域５２の一番左の列の各枡目に対応する部分を表の縦軸の各項目が並ぶ縦軸領域５３として抽出するとともに、表領域５２の一番上の行の各枡目に対応する部分を表の横軸の各項目が並ぶ横軸領域５４として抽出し、さらにこれらの各領域５３、５４に含まれる各枡目の交点に対応する枡目の部分をデータ領域５５として抽出する。
【００５２】
表領域抽出部３５は、ドキュメント画像５０から表領域５２を抽出すると、その表領域５２に個別に識別するための識別情報である表ＩＤを付与する。表ＩＤは、例えば、表領域抽出部３５における表領域５２の抽出順の通し番号であり、各ドキュメント画像５０から抽出された各表領域５２に対して、それぞれ個別の番号（記号や文字を含んでもよい）が付与される。
【００５３】
さらに、表領域抽出部３５は、表領域５２を抽出すると、その表領域５２の上部又は下部にある文字列をその表領域５２の表名として抽出する。このように、表領域抽出部３５は、ドキュメント画像５０から表領域５２、及びその表領域５２の表名の抽出を行うとともに、抽出した表領域５２に対する表ＩＤの付与を行う。そして、表領域抽出部３５は、抽出した表領域５２のドキュメント画像５０上における位置の座標情報、その表領域５２に付与した表ＩＤ、及びその表領域５２の表名などを抽出結果としてまとめ、その抽出結果をデータ記憶部３７に記憶させる。
【００５４】
絞込み処理部３６は、図７に示すように、ユーザからの要求に応じて所定の領域を表領域５２から切り出し、元の表の各枡目の関係が維持されるように切り出した各領域を再構成することにより、ユーザの要求に応じた所定の領域のみに表領域５２を絞り込んだ絞込み画像５６を生成する絞込み処理を行う。
【００５５】
絞込み処理部３６には、例えば、縦軸領域５３あるいは横軸領域５４の所定の項目、及びその項目に関連する所定の文字列（以下、絞込みキーと称す）が、絞込み条件として設定される。絞込み処理部３６は、絞込み条件が設定されると、周知の文字認識技術を用いることにより、その項目に対応する各枡目から絞込みキーと一致する文字列を含む枡目を検出する。そして、その検出した枡目に関連する各枡目を表領域５２から切り出して再構成することにより、絞込み画像５６を生成する。また、この際、絞込み処理部３６は、システムメモリ３１に記憶された画面サイズの情報を基に、閲覧を要求したユーザの携帯電話４の画面サイズに適したサイズ（解像度）に拡大して絞込み画像５６を生成する。
【００５６】
例えば、図７では、横軸領域５４の「担当者」の項目に対して「上杉」を絞込みキーとし、「上杉」に関連する各枡目のみに表領域５２を絞り込んで絞込み画像５６を生成した例を示している。このように絞込み画像５６を生成し、その絞込み画像５６を携帯電話４に配信すれば、表領域５２のうちユーザの要求に応じた領域のみを効率よく閲覧させることができる。
【００５７】
また、絞込み処理部３６は、絞込み画像５６を生成したら、その絞込み条件に対して個別に識別するための識別情報である絞込みＩＤを付与し、その絞込みＩＤ、及び絞込み条件となった各情報をデータ記憶部３７に記憶させる。さらに、絞込み処理部３６は、絞込み画像５６を生成する際に表領域５２から切り出した領域（以下、絞込み領域と称す）に対して個別に識別するための識別情報である絞込み領域ＩＤを付与し、その絞込み領域ＩＤ、及びその絞込み領域のドキュメント画像５０上における位置の座標情報を処理結果としてデータ記憶部３７に記憶させる。なお、絞込みＩＤや絞込み領域ＩＤは、表ＩＤなどと同様に、生成順の通し番号として付与すればよい。
【００５８】
データ記憶部３７には、画像変換部３４が生成したドキュメント画像５０を保管するドキュメント画像保管部４４と、ファイルサーバ１１に保管されている各ドキュメントファイル１４の情報を管理するファイル情報管理テーブル４５と、表領域抽出部３５の表領域抽出処理の結果を記憶する表解析テーブル４６と、絞込み処理部３６の絞込み処理に用いた絞込み条件を記憶する絞込みテーブル４７と、絞込み処理部３６の絞込み処理の結果を記憶する絞込み領域テーブル４８とが設けられている。このデータ記憶部３７は、ＨＤＤなどの周知の記憶装置によって構成されている。画像変換部３４は、ドキュメント画像５０を生成したら、そのドキュメント画像５０をドキュメント画像保管部４４に保管する。
【００５９】
図８に示すように、ファイル情報管理テーブル４５は、ファイルサーバ１１に保管されている各ドキュメントファイル１４のドキュメントＩＤ、それらの各ドキュメントファイル１４のファイル名、ファイルサイズ、作成日（ファイルサーバ１１に保管された日時）、更新日、バイナリＭＤ５、及びそれらの各ドキュメントファイル１４に対応するドキュメント画像５０から抽出された表領域５２の表ＩＤの各情報を関連付けて記憶している。ここで、バイナリＭＤ５とは、ドキュメントファイル１４から生成される１２８ビットのハッシュ値である。
【００６０】
配信処理サーバ１０のＣＰＵ３０は、ファイルサーバ１１に最初にドキュメントファイル１４が保管された際に、表ＩＤを除く各情報をファイル情報管理テーブル４５に記憶させるとともに、そのドキュメントファイル１４の内容が更新される毎に、更新日の情報を最新の情報に書き換える。そして、表領域抽出部３５は、ドキュメント画像５０から表領域５２を抽出した際に、そのドキュメント画像５０のヘッダ部に記憶されたドキュメントＩＤを基にファイル情報管理テーブル４５を参照し、対応するドキュメントファイル１４の表ＩＤの項目の枡目に、抽出した表領域５２の表ＩＤを記憶させる。これにより、ファイル情報管理テーブル４５を参照することで、各ドキュメントファイル１４に対応する表領域５２の有無、及びその数を確認することができる。
【００６１】
図９に示すように、表解析テーブル４６は、表領域５２の表ＩＤ、その表領域５２に対応する表が位置するドキュメントファイル１４のシート番号やページ番号、表領域５２の縦軸領域５３、横軸領域５４、データ領域５５のそれぞれのドキュメント画像５０上における位置の座標情報、及びその表領域５２に対して絞込み処理が行われた際の絞込みＩＤの各情報を関連付けて記憶している。
【００６２】
表領域抽出部３５は、上記のように表領域５２を抽出する処理を行った後、絞込みＩＤを除く各情報を抽出結果として表解析テーブル４６に記憶させる。そして、絞込み処理部３６は、上記のように絞込み処理を行って絞込み画像５６を生成した後、絞込みＩＤを表解析テーブル４６に記憶させる。これにより、表解析テーブル４６を参照することで、表領域抽出部３５によって抽出された表領域５２の各情報を確認することができ、一度抽出された表領域５２を再び表領域抽出部３５に抽出させる必要がなくなるとともに、絞込みＩＤの項目を参照することで、その表領域５２に対して過去に絞込み処理が行われているか否かを確認することができる。
【００６３】
図１０に示すように、絞込みテーブル４７は、所定の絞込み処理の絞込み条件に対応する絞込みＩＤ、その絞込み条件となった縦軸領域５３及び横軸領域５４の項目の項目名、それらの各項目のドキュメント画像５０上における位置の座標情報、それらの各項目に対する絞込みキー、及びその絞込み条件に基づく絞込み処理の結果として表領域５２から切り出された絞込み領域に対応する絞込み領域ＩＤの各情報を関連付けて記憶している。
【００６４】
絞込み処理部３６は、上記のように絞込み処理を行って絞込み画像５６を生成した後、その絞込み処理の絞込み条件の各情報、及び絞込み領域ＩＤの情報を絞込みテーブル４７に記憶させる。これにより、絞込みテーブル４７を参照することで、所定の表領域５２に対して行われた絞込み処理の絞込み条件、及び絞込み領域ＩＤを確認することができる。
【００６５】
図１１に示すように、絞込み領域テーブル４８は、所定の表領域５２に対する絞込み処理の結果として表領域５２から切り出された絞込み領域に対応する絞込み領域ＩＤと、その絞込み領域のドキュメント画像５０上における位置の座標情報とを関連付けて記憶している。絞込み処理部３６は、上記のように絞込み処理を行って絞込み画像５６を生成した後、表領域５２から切り出した絞込み領域の絞込み領域ＩＤと、その絞込み領域の座標情報とを絞込み処理の結果として絞込み領域テーブル４８に記憶させる。これにより、絞込み領域テーブル４８を参照することで、絞込み処理部３６が表領域５２から切り出した絞込み領域の情報を確認することができるので、表領域５２に対して同じ絞込み条件での絞込み処理の実行が指示された際に、再び絞込み領域を検出する手前を省くことができる。
【００６６】
なお、ファイル情報管理テーブル４５、表解析テーブル４６、絞込みテーブル４７、絞込み領域テーブル４８の各テーブルに記憶する情報は、上記に限定されるものではなく、それぞれの用途に応じて適宜選定すればよい。
【００６７】
携帯電話４のＣＰＵ２２は、ユーザからの指示に応じてビューアを起動させ、ユーザの要求に応じたドキュメント画像５０をドキュメント画像配信部３から受信した後、図１２（ａ）に示すドキュメント画像表示画面６０を液晶ディスプレイ２０に表示させる。ドキュメント画像表示画面６０には、ドキュメント画像配信部３から受信したドキュメント画像５０と、そのドキュメント画像５０に含まれる表領域５２に対しての絞込み処理の実行を指示するための絞込み指示アイコン６１とが設けられている。また、ドキュメント画像表示画面６０には、閲覧対象となっているドキュメントファイル１４のファイル名や、表示中のドキュメント画像５０のページ番号などの各種の情報が、ドキュメント画像５０の上部に表示される。
【００６８】
ＣＰＵ２２は、ドキュメント画像表示画面６０を表示させた後、ユーザが操作部２１を介して絞込み指示アイコン６１を操作したことに応答して、図１２（ｂ）に示す絞込み条件入力画面６２を表示させる。
【００６９】
絞込み条件入力画面６２には、対象となる表領域５２の表名を入力するための表名入力ボックス６３と、対象となる横軸領域５４の項目の項目名を入力するための横軸項目名入力ボックス６４と、その横軸領域５４の項目に対する絞込みキーを入力するための横軸絞込みキー入力ボックス６５と、対象となる縦軸領域５３の項目の項目名を入力するための縦軸項目名入力ボックス６６と、その縦軸領域５３の項目に対する絞込みキーを入力するための縦軸絞込みキー入力ボックス６７と、入力した絞込み条件のドキュメント画像配信部３への送信を指示するための送信指示アイコン６８とが設けられている。
【００７０】
各入力ボックス６３〜６７は、いわゆるテキスト入力ボックスである。ユーザは、操作部２１を介して所望のボックスを選択し、そこに文字列を入力することにより、その文字列を絞込み条件として設定する。なお、絞込み条件の入力方法は、上記のようにユーザに文字列を直接入力させる方法に限定されるものではない。例えば、縦軸領域５３や横軸領域５４の各項目の項目名の情報、及びデータ領域５５の各枡目に入力された文字列の情報をドキュメント画像５０とともに予め配信しておき、これらの各情報をプルダウンメニューなどから選択することによって絞込み条件を設定できるようにしてもよい。
【００７１】
ＣＰＵ２２は、絞込み条件入力画面６２を表示させた後、ユーザが操作部２１を介して送信指示アイコン６８を操作したことに応答して、各入力ボックス６３〜６７に入力された文字列を絞込み条件としてまとめるとともに、ドキュメント画像５０のヘッダ部に記録されているドキュメントＩＤを読み出す。そして、絞込み条件の各情報とドキュメントＩＤとをまとめ、これを絞込み要求としてドキュメント画像配信部３の配信処理サーバ１０に送信する。
【００７２】
配信処理サーバ１０のＣＰＵ３０は、携帯電話４からの絞込み要求を受信すると、その絞込み要求に含まれる絞込み条件の各情報とドキュメントＩＤとを絞込み処理部３６に入力し、絞込み処理部３６に絞込み画像５６を生成させる。この後、ＣＰＵ３０は、生成された絞込み画像５６を要求元の携帯電話４に配信する。
【００７３】
携帯電話４のＣＰＵ２２は、ドキュメント画像配信部３から絞込み画像５６を受信すると、図１２（ｃ）に示す絞込み画像表示画面７０を液晶ディスプレイ２０に表示させる。絞込み画像表示画面７０には、ドキュメント画像配信部３から受信した絞込み画像５６と、ドキュメント画像表示画面６０と同様の絞込み指示アイコン６１とが設けられている。また、絞込み画像表示画面７０には、閲覧対象となっているドキュメントファイル１４のファイル名、絞込み処理を実行させた表領域５２の表名、及び設定した絞込み条件などの各種の情報が、絞込み画像５６の上部に表示される。
【００７４】
これにより、ユーザは、絞込み画像５６を介して表領域５２の所望の領域のみを効率よく閲覧することができる。また、ユーザは、絞込み画像表示画面７０が表示された後、さらに絞込みを行いたい場合に、絞込み指示アイコン６１を操作する。ＣＰＵ２２は、絞込み画像表示画面７０を表示させた状態で絞込み指示アイコン６１が操作されると、現在設定されている絞込み条件を各入力ボックス６３〜６７に入力した状態で、再び絞込み条件入力画面６２を液晶ディスプレイ２０に表示させ、ユーザに絞込み条件を再設定させる。そして、以下上記と同様の手順で、再設定後の絞込み条件に応じた絞込み画像５６を含む絞込み画像表示画面７０を液晶ディスプレイ２０に表示させる。
【００７５】
次に、図１３に示すフローチャートを参照しながら、上記構成によるドキュメント閲覧システム２の作用について説明する。ユーザは、携帯電話４を介してドキュメントファイル１４の閲覧を行う場合、まず操作部２１を操作してビューアプログラム２８の実行をＣＰＵ２２に指示することにより、ドキュメント閲覧システム２に対応したビューアを起動させる。そして、このビューアを介してドキュメント画像配信部３にアクセスし、所望のドキュメントファイル１４の閲覧を配信処理サーバ１０に要求する。
【００７６】
携帯電話４のＣＰＵ２２は、配信処理サーバ１０にドキュメントファイル１４の閲覧を要求する場合、そのドキュメントファイル１４のファイル名、当該ユーザの管理ＩＤ、当該ユーザの携帯電話４の端末名、及び当該携帯電話４のＩＰアドレスなどの各種の情報を閲覧要求に含めて配信処理サーバ１０に送信する。なお、閲覧要求に含める各情報は、上記に限定されるものではなく、それぞれ閲覧を要求するドキュメントファイル１４を特定するための情報、ユーザを特定するための情報、要求元の携帯電話４を特定するための情報であればよい。
【００７７】
配信処理サーバ１０のＣＰＵ３０は、携帯電話４からドキュメントファイル１４の閲覧が要求されると、閲覧要求とともに受信したファイル名、管理ＩＤ、端末名の各情報をユーザ情報管理部３３に入力することにより、閲覧を要求したユーザの認証処理の実行をユーザ情報管理部３３に指示する。
【００７８】
ユーザ情報管理部３３は、ユーザ認証処理を開始すると、まず入力されたファイル名の情報を基にファイル情報管理テーブル４５を参照することにより、閲覧が要求されたドキュメントファイル１４のドキュメントＩＤを確認する。ユーザ情報管理部３３は、ドキュメントＩＤを確認したら、そのドキュメントＩＤと入力された管理ＩＤとを基にドキュメント管理テーブル４２を参照し、管理ＩＤが一致しているか否かを確認することによってユーザの認証を行う。
【００７９】
ＣＰＵ３０は、ドキュメントファイル１４の閲覧を認証しないとユーザ情報管理部３３が判定した場合、ユーザ認証に失敗したことを示すエラーメッセージを要求元の携帯電話４に送信することにより、ドキュメントファイル１４の閲覧の要求を拒否する。
【００８０】
一方、ＣＰＵ３０は、ドキュメントファイル１４の閲覧を認証するとユーザ情報管理部３３が判定した場合、ドキュメント画像保管部４４にアクセスし、閲覧が要求されたドキュメントファイル１４のドキュメントＩＤがヘッダ部に記憶されたドキュメント画像５０を検索することにより、閲覧が要求されたドキュメントファイル１４に対応するドキュメント画像５０が既に生成されているか否かを確認する。また、ユーザ情報管理部３３は、認証すると判定した場合、入力された端末名の情報を基に端末管理テーブル４３を参照することによって、閲覧を要求したユーザの携帯電話４の画面サイズを確認し、その画面サイズの情報をシステムメモリ３１に一時的に記憶させる。
【００８１】
ＣＰＵ３０は、対応するドキュメント画像５０が生成されていることを確認すると、そのドキュメント画像５０をドキュメント画像保管部４４から読み出す。一方、ＣＰＵ３０は、生成されていないことを確認すると、ドキュメントＩＤに基づいて閲覧が要求されたドキュメントファイル１４をファイルサーバ１１から読み出すとともに、そのドキュメントファイル１４を画像変換部３４に入力し、ドキュメント画像５０の生成を画像変換部３４に指示する。
【００８２】
画像変換部３４は、ＣＰＵ３０からドキュメント画像５０の生成が指示されると、前述のように、入力されたドキュメントファイル１４、及びシステムメモリ３１に記憶された画面サイズの情報を基に、対応するドキュメント画像５０を生成し、その生成したドキュメント画像５０をドキュメント画像保管部４４に保管する。
【００８３】
ＣＰＵ３０は、画像変換部３４にドキュメント画像５０を生成させたら、対応するドキュメントＩＤを表領域抽出部３５に入力し、そのドキュメント画像５０に対する表領域抽出処理の実行を表領域抽出部３５に指示する。表領域抽出部３５は、ＣＰＵ３０から表領域抽出処理の実行が指示されると、前述のように、ドキュメント画像５０から表領域５２を抽出し、その抽出結果を表解析テーブル４６に記憶させるとともに、抽出した表領域５２に付与した表ＩＤをファイル情報管理テーブル４５に記憶させる。
【００８４】
ＣＰＵ３０は、画像変換部３４に生成させるか、あるいはドキュメント画像保管部４４から読み出して、閲覧が要求されたドキュメントファイル１４に対応するドキュメント画像５０を取得したら、そのドキュメント画像５０を要求元の携帯電話４に配信する。
【００８５】
携帯電話４のＣＰＵ２２は、ドキュメント画像配信部３からドキュメント画像５０を受信すると、そのドキュメント画像５０を含むドキュメント画像表示画面６０を生成し、液晶ディスプレイ２０に表示させる。
【００８６】
ユーザは、ドキュメント画像表示画面６０が液晶ディスプレイ２０に表示された後、そのドキュメント画像表示画面６０のドキュメント画像５０に含まれる表領域５２の所望の領域のみを閲覧したい場合に、操作部２１を介して絞込み指示アイコン６１を操作し、絞込み条件入力画面６２を液晶ディスプレイ２０に表示させる。そして、各入力ボックス６３〜６７に絞込み条件となる所定の文字列を入力し、送信指示アイコン６８を操作することにより、所定の表領域５２に対する絞込み要求をドキュメント画像配信部３の配信処理サーバ１０に送信する。この際、表名入力ボックス６３のみに閲覧を所望する表領域５２の表名の文字列を入力し、他の入力ボックス６４〜６７を空欄として絞込み要求を送信すれば、表領域５２そのものに応じた領域を絞込み条件として設定することもできる。
【００８７】
配信処理サーバ１０のＣＰＵ３０は、携帯電話４からの絞込み要求を受信すると、その絞込み要求に含まれる絞込み条件の各情報とドキュメントＩＤとを絞込み処理部３６に入力し、絞込み処理の実行を絞込み処理部３６に指示する。
【００８８】
絞込み処理部３６は、ＣＰＵ３０から絞込み処理の実行が指示されると、まず入力されたドキュメントＩＤを基にファイル情報管理テーブル４５を参照し、そのドキュメントＩＤに関連付けられた表ＩＤを確認する。絞込み処理部３６は、表ＩＤを確認したら、その表ＩＤを基に表解析テーブル４６を参照し、その表ＩＤに絞込みＩＤが関連付けられているか否かを確認することにより、対象となる表領域５２に対して過去に絞込み処理が行われているか否かを確認する。また、この際、ドキュメントＩＤに複数の表ＩＤが関連付けられている場合には、今回の絞込み要求の絞込み条件として設定された表名の情報と、各表ＩＤに関連付けられた表名の項目の情報とが一致するものを検出し、その表ＩＤを対象として絞込み処理が行われているか否かの確認を行う。
【００８９】
絞込み処理部３６は、絞込み処理が行われていることを確認した場合、その絞込みＩＤを基に絞込みテーブル４７を参照し、当該絞込みＩＤに関連付けられた絞込み条件の各情報と、今回の絞込み要求の絞込み条件の各情報とが一致するか否かを確認することにより、過去に同じ絞込み要求があったか否かを判定する。また、この際、対象の表ＩＤに複数の絞込みＩＤが関連付けられている場合には、当然、各絞込みＩＤのそれぞれに対して絞込み条件の各情報が一致するか否かの確認を行う。
【００９０】
絞込み処理部３６は、絞込み条件の各情報が一致するものがあった場合に、過去に同じ絞込み要求があったと判定する。絞込み処理部３６は、過去に同じ絞込み要求があったと判定すると、その絞込みＩＤに関連付けられた絞込み領域ＩＤを確認し、その絞込み領域ＩＤを基に絞込み領域テーブル４８を参照することにより、その絞込み領域ＩＤに関連付けられた絞込み領域のドキュメント画像５０上における位置の座標情報を絞込み領域テーブル４８から読み出す。
【００９１】
一方、絞込み処理部３６は、絞込み条件の各情報が一致するものがなく、過去に同じ絞込み要求がなかったと判定した場合、及び表ＩＤに絞込みＩＤが関連付けられておらず、対象となる表領域５２に対して過去に一度も絞込み処理が行われていないことを確認した場合、今回の絞込み要求の絞込み条件を基に絞込み領域を検出する処理を行い、その結果を絞込み領域テーブル４８に記憶させるとともに、対応する絞込み領域ＩＤを絞込みテーブル４７に記憶させる。
【００９２】
絞込み処理部３６は、絞込み領域を検出する処理を行うか、あるいは絞込み領域テーブル４８から読み出すことによって、絞込み領域のドキュメント画像５０上における位置の座標情報を取得したら、前述のように、その座標情報に応じて絞込み領域を表領域５２から切り出し、それをまとめて再構成するとともに、システムメモリ３１に記憶された画面サイズの情報を基に、閲覧を要求したユーザの携帯電話４の画面サイズに適したサイズに拡大することにより、絞込み画像５６を生成する。
【００９３】
ＣＰＵ３０は、絞込み処理部３６に絞込み画像５６を生成させたら、その絞込み画像５６を要求元の携帯電話４に配信する。携帯電話４のＣＰＵ２２は、ドキュメント画像配信部３から絞込み画像５６を受信すると、その絞込み画像５６を含む絞込み画像表示画面７０を生成し、液晶ディスプレイ２０に表示させる。
【００９４】
ユーザの要求に応じた所定の領域のみに表領域５２を絞り込んだ絞込み画像５６では、縦軸領域５３、横軸領域５４、データ領域５５の各枡目の関係が適切に維持されるので、ドキュメントファイル１４の内容が把握できなくなってしまう心配がない。また、絞込み画像５６では、ドキュメント画像５０をそのまま表示する場合に比べて、その内容を大きく表示させることができるので、ユーザが画面のスクロールや拡大縮小を頻繁に繰り返す必要がなく、閲覧性の向上を図ることができるとともに、画面のスクロールや拡大縮小にともなう配信処理サーバ１０との不要な通信が抑えられるので、ユーザの通信コストの負担増を招く心配もない。従って、ドキュメント閲覧システム２では、ドキュメント画像５０に表が含まれている場合にも、ドキュメントファイル１４の内容を正常に閲覧できるようにしつつ、閲覧性の向上を図ることができる。
【００９５】
［第２実施形態］
次に、本発明の第２の実施形態について説明する。なお、上記第１の実施形態と機能・構成上同一のものについては、同符号を付し、詳細な説明を省略する。図１４に示すように、本実施形態の配信処理サーバ１００にも、表領域５２に対して絞込み処理を行う絞込み処理部１０２が設けられている。
【００９６】
絞込み処理部１０２には、表領域５２のデータ領域５５内における所定の位置の座標情報（以下、絞込み位置情報と称す）が絞込み条件として設定される。絞込み処理部１０２は、絞込み条件が設定されると、その絞込み位置情報の示す位置にあるデータ領域５５内の枡目を特定する。そして、図１５に示すように、その枡目を中心とした十字状の領域を表領域５２から切り出し、閲覧を要求したユーザの携帯電話４の画面サイズに適したサイズ（解像度）に、その領域を拡大することにより、その領域をデータ領域絞込み画像１０４として生成する。
【００９７】
また、絞込み処理部１０２は、データ領域絞込み画像１０４を生成した後、縦軸領域５３のデータ領域絞込み画像１０４に対応する各項目の枡目の部分を表領域５２から切り出し、閲覧を要求したユーザの携帯電話４の画面サイズに適したサイズ（解像度）に、その領域を拡大することにより、その領域を縦軸領域絞込み画像１０５として生成するとともに、横軸領域５４のデータ領域絞込み画像１０４に対応する各項目の枡目の部分を表領域５２から切り出し、閲覧を要求したユーザの携帯電話４の画面サイズに適したサイズ（解像度）に、その領域を拡大することにより、その領域を横軸領域絞込み画像１０６として生成する。
【００９８】
絞込み処理部１０２は、各絞込み画像１０４〜１０６を生成したら、その絞込み条件に対して個別に識別するための識別情報である絞込みＩＤを付与し、その絞込みＩＤを各絞込み画像１０４〜１０６のヘッダ部に記憶させることにより、絞込み条件と各絞込み画像１０４〜１０６とを関連付ける。この後、絞込み処理部１０２は、その絞込みＩＤ、絞込み条件となった絞込み位置情報、及び生成した各絞込み画像１０４〜１０６をデータ記憶部１１０に記憶させる。
【００９９】
図１５では、縦軸領域５３の「４」の項目と、横軸領域５４の「商品名」の項目との交点に位置するデータ領域５５の枡目を中心、すなわち絞込み位置情報に対応する枡目とし、この枡目から上下左右に２枡分ずつ拡大させた十字状の領域を表領域５２から切り出すことにより、データ領域絞込み画像１０４を生成している。このように、十字状のデータ領域絞込み画像１０４を生成すれば、ユーザが位置を指定した中央部分の枡目を中心に、上下左右に画面をスクロールさせることが可能となり、データ領域絞込み画像１０４の閲覧性を高めることができる。
【０１００】
なお、データ領域絞込み画像１０４は、十字状に限ることなく、例えば矩形状に生成してもよい。但し、表をスクロールさせて閲覧する場合には、注目する枡目の情報と関連性の高い上下左右の情報にスクロールさせる可能性が高い。従って、上記のように十字状のデータ領域絞込み画像１０４を生成するようにすれば、データ領域絞込み画像１０４の閲覧性を高めつつ、データ領域絞込み画像１０４のデータ量を抑えたり、必要となる情報をより多く含んだデータ領域絞込み画像１０４を生成したりすることができる。
【０１０１】
また、図１５では、絞込み位置情報に対応する枡目から上下左右に２枡分ずつ拡大させるといったように、各枡目を区切りの単位としてデータ領域絞込み画像１０４を生成するようにしたが、これに限ることなく、例えば、携帯電話４の画面サイズや画像の倍率などに基づいて表領域５２の内の表示可能な大きさを求め、その表示可能な大きさの領域を区切りの単位としてデータ領域絞込み画像１０４を生成してもよい。
【０１０２】
データ記憶部１１０には、上記第１の実施形態と同様のドキュメント画像保管部４４、ファイル情報管理テーブル４５、表解析テーブル４６の他に、位置情報記憶テーブル１１２と、データ領域絞込み画像保管部１１３と、縦軸領域絞込み画像保管部１１４と、横軸領域絞込み画像保管部１１５とが設けられている。
【０１０３】
位置情報記憶テーブル１１２は、所定の絞込み処理の絞込み条件に対応する絞込みＩＤと、その絞込み条件となった絞込み位置情報とを関連付けて記憶している。データ領域絞込み画像保管部１１３は、絞込み処理部１０２が生成したデータ領域絞込み画像１０４を保管する。縦軸領域絞込み画像保管部１１４は、絞込み処理部１０２が生成した縦軸領域絞込み画像１０５を保管する。横軸領域絞込み画像保管部１１５は、絞込み処理部１０２が生成した横軸領域絞込み画像１０６を保管する。
【０１０４】
携帯電話４のＣＰＵ２２は、ユーザからの指示に応じてビューアを起動させ、ユーザの要求に応じたドキュメント画像５０をドキュメント画像配信部３から受信すると、図１６（ａ）に示すように、上記第１の実施形態と同様のドキュメント画像表示画面６０を液晶ディスプレイ２０に表示させる。そして、ＣＰＵ２２は、ドキュメント画像表示画面６０を表示させた後、ユーザが操作部２１を介して絞込み指示アイコン６１を操作すると、図１６（ｂ）に示すように、絞込み指示アイコン６１を非表示にし、絞込み条件として設定する位置を指定するためのポインタ１１８をドキュメント画像表示画面６０に表示させる。
【０１０５】
ポインタ１１８は、操作部２１の操作に応答してドキュメント画像表示画面６０上を移動し、ドキュメント画像表示画面６０の任意の位置を指定できるように構成されている。ＣＰＵ２２は、ユーザが操作部２１を介してポインタ１１８を操作し、所定の位置を指定したことに応答して、その位置のドキュメント画像５０上における座標情報を絞込み位置情報として取得する。そして、ＣＰＵ２２は、絞込み位置情報を取得したら、その絞込み位置情報を絞込み条件とし、ドキュメント画像５０のヘッダ部に記録されているドキュメントＩＤとともに絞込み要求としてドキュメント画像配信部３の配信処理サーバ１００に送信する。
【０１０６】
配信処理サーバ１００のＣＰＵ３０は、携帯電話４からの絞込み要求を受信すると、その絞込み要求に含まれる絞込み条件の絞込み位置情報とドキュメントＩＤとを絞込み処理部１０２に入力し、絞込み処理部１０２に絞込み処理を実行させる。この後、ＣＰＵ３０は、絞込み処理によって生成された各絞込み画像１０４〜１０６を要求元の携帯電話４に配信する。
【０１０７】
携帯電話４のＣＰＵ２２は、ドキュメント画像配信部３から各絞込み画像１０４〜１０６を受信すると、図１７に示すように、絞込み位置情報に対応する中央の枡目の部分をデータ領域絞込み画像１０４から切り出すとともに、この枡目に対応する部分を縦軸領域絞込み画像１０５と横軸領域絞込み画像１０６とのそれぞれから切り出し、それらの各枡目の画像をまとめて再構成することにより、各絞込み画像１０４〜１０６から合成絞込み画像１２０を生成する。
【０１０８】
ＣＰＵ２２は、合成絞込み画像１２０を生成したら、図１６（ｃ）に示すように、生成した合成絞込み画像１２０を含む絞込み画像表示画面１２２を液晶ディスプレイ２０に表示させる。これにより、ユーザは、合成絞込み画像１２０を介して表領域５２の所望の領域のみを効率よく閲覧することができる。
【０１０９】
また、ＣＰＵ２２は、ユーザが操作部２１を介して画面スクロールの指示を入力すると、その指示の方向に応じて各絞込み画像１０４〜１０６から合成絞込み画像１２０を再生成し、絞込み画像表示画面１２２の合成絞込み画像１２０を再生成後の画像に更新する。
【０１１０】
例えば、ユーザから左方向にスクロールする指示が入力された場合、ＣＰＵ２２は、図１８に示すように、中央の枡目の１つ左の枡目の部分をデータ領域絞込み画像１０４から切り出すとともに、この枡目に対応する部分を縦軸領域絞込み画像１０５と横軸領域絞込み画像１０６とのそれぞれから切り出し、それらの各枡目の画像をまとめて再構成することにより、中央部分から左方向にスクロールした合成絞込み画像１２０を再生成する。そして、その再生成後の合成絞込み画像１２０を絞込み画像表示画面１２２に表示させる。これにより、ユーザは、絞込み条件として指定した位置の枡目と関連性の高い枡目の情報を配信処理サーバ１００との通信を行うことなく閲覧することができる。
【０１１１】
次に、図１９に示すフローチャートを参照しながら、本実施形態の作用について説明する。なお、携帯電話４の液晶ディスプレイ２０にドキュメント画像表示画面６０を表示させる処理までは、上記第１の実施形態と同様であるから、説明を省略する。
【０１１２】
ユーザは、ドキュメント画像表示画面６０が液晶ディスプレイ２０に表示された後、そのドキュメント画像表示画面６０のドキュメント画像５０に含まれる表領域５２の所望の領域のみを閲覧したい場合に、操作部２１を介して絞込み指示アイコン６１を操作し、ポインタ１１８をドキュメント画像表示画面６０上に表示させる。そして、操作部２１を介してポインタ１１８を操作し、絞込み条件として設定したい所定の位置を指定することにより、所定の表領域５２に対する絞込み要求をドキュメント画像配信部３の配信処理サーバ１００に送信する。
【０１１３】
配信処理サーバ１００のＣＰＵ３０は、携帯電話４からの絞込み要求を受信すると、まずその絞込み要求に含まれるドキュメントＩＤを基にファイル情報管理テーブル４５を参照し、そのドキュメントＩＤに関連付けられた表ＩＤを確認する。ＣＰＵ３０は、表ＩＤを確認したら、その表ＩＤを基に表解析テーブル４６を参照して、その表ＩＤに関連付けられた各領域５３〜５５の座標情報と、絞込み要求に含まれる絞込み位置情報とを比較し、絞込み位置情報の示す位置が関連する各領域５３〜５５の何処に含まれているかを確認することにより、対象となる表領域５２を特定する。
【０１１４】
ＣＰＵ３０は、対象となる表領域５２を特定したら、その表領域５２の絞込みＩＤの項目を参照し、その表領域５２に絞込みＩＤが関連付けて記憶されているか否かを確認する。ＣＰＵ３０は、絞込みＩＤが記憶されていることを確認した場合、その絞込みＩＤを基に位置情報記憶テーブル１１２を参照することにより、絞込み要求に含まれる絞込み位置情報と、絞込みＩＤに関連付けられた絞込み位置情報とが一致するか否かを判定、すなわち対象となる表領域５２に対して過去に同じ絞込み要求があったか否かを判定する。
【０１１５】
ＣＰＵ３０は、各絞込み位置情報の値が完全に同一である場合に限らず、絞込みＩＤに関連付けられた絞込み位置情報の値に対して、絞込み要求に含まれる絞込み位置情報の値が所定の誤差範囲に収まっている場合に、一致すると判定する。また、ＣＰＵ３０は、表解析テーブル４６において対象となる表領域５２に複数の絞込みＩＤが関連付けられている場合、各絞込みＩＤのそれぞれに対して上記判定を行う。なお、各絞込み位置情報が一致するか否かは、例えば、各絞込み位置情報の値が表領域５２の同じ枡目の中に納まる場合、すなわち同じ枡目が絞込み条件として設定された場合に、一致すると判定してもよい。
【０１１６】
ＣＰＵ３０は、各絞込み位置情報の値が一致し、過去に同じ絞込み要求があったと判定すると、その絞込みＩＤを基に各画像保管部１１３〜１１５を検索することにより、各画像保管部１１３〜１１５から対応する各絞込み画像１０４〜１０６を読み出す。
【０１１７】
一方、ＣＰＵ３０は、各絞込み位置情報の値が一致せず、過去に同じ絞込み要求がなかったと判定した場合、及び対象となる表領域５２に絞込みＩＤが関連付けられておらず、対象となる表領域５２に対して過去に一度も絞込み処理が行われていないことを確認した場合、絞込み要求に含まれるドキュメントＩＤ及び絞込み位置情報を絞込み処理部１０２に入力し、絞込み処理部１０２に絞込み処理の実行を指示する。
【０１１８】
絞込み処理部１０２は、ＣＰＵ３０から絞込み処理の実行が指示されると、入力されたドキュメントＩＤに対応するドキュメント画像５０をドキュメント画像保管部４４から読み出し、入力された絞込み位置情報に基づいて前述のようにドキュメント画像５０から各絞込み画像１０４〜１０６を生成する。絞込み処理部１０２は、各絞込み画像１０４〜１０６を生成したら、それらの各絞込み画像１０４〜１０６に絞込みＩＤを付与する。この後、絞込み処理部１０２は、それらの各絞込み画像１０４〜１０６を各画像保管部１１３〜１１５に保管させるとともに、各絞込み画像１０４〜１０６に付与した絞込みＩＤを表解析テーブル４６の対応する絞込みＩＤの項目の欄に書き込む。さらに、絞込み処理部１０２は、各絞込み画像１０４〜１０６に付与した絞込みＩＤと、その絞込み条件となった絞込み位置情報とを関連付けて位置情報記憶テーブル１１２記憶させる。
【０１１９】
ＣＰＵ３０は、各画像保管部１１３〜１１５から読み出すか、あるいは絞込み処理部１０２に生成させることによって対応する各絞込み画像１０４〜１０６を取得したら、それらの各絞込み画像１０４〜１０６を要求元の携帯電話４に配信する。
【０１２０】
携帯電話４のＣＰＵ２２は、ドキュメント画像配信部３から各絞込み画像１０４〜１０６を受信すると、前述のように、それらの各絞込み画像１０４〜１０６から合成絞込み画像１２０を生成するとともに、その合成絞込み画像１２０を含む絞込み画像表示画面１２２を生成し、その絞込み画像表示画面１２２を液晶ディスプレイ２０に表示させる。
【０１２１】
ユーザは、絞込み画像表示画面１２２が表示された後、必要に応じて操作部２１を操作することにより、画面スクロールの指示を入力する。ＣＰＵ２２は、画面スクロールの指示が入力されると、その指示の方向に応じて各絞込み画像１０４〜１０６から合成絞込み画像１２０を再生成し、絞込み画像表示画面１２２の合成絞込み画像１２０を再生成後の画像に更新する。
【０１２２】
上記第１の実施形態では、表領域５２に含まれる所定の文字列を絞込み条件とし、これに対応する領域を表領域５２から切り出すことによって、ユーザの要求に応じた所定の領域のみに表領域５２を絞り込んだ絞込み画像５６を生成するようにしたが、本実施形態で示すように、ユーザが指定した表領域５２内の所定の位置を絞込み条件とし、これに対応する領域を表領域５２から切り出すことによって各絞込み画像１０４〜１０６、及びこれらから成る合成絞込み画像１２０を生成するようにしても、上記第１の実施形態と同様の効果を得ることができる。
【０１２３】
［第３実施形態］
次に、本発明の第３の実施形態について説明する。なお、上記第１及び第２の実施形態と機能・構成上同一のものについては、同符号を付し、詳細な説明を省略する。図２０に示すように、本実施形態の配信処理サーバ１３０にも、表領域５２に対して絞込み処理を行う絞込み処理部１３２が設けられている。
【０１２４】
絞込み処理部１３２には、ユーザが指定した絞込みキーと絞込み位置情報とが絞込み条件として設定される。絞込み処理部１３２は、絞込み条件が設定されると、まず、その絞込みキーを基に上記第１の実施形態と同様の手順で絞込み処理を行うことにより、対象となる表領域５２から絞込み画像５６を生成する。
【０１２５】
絞込み処理部１３２は、絞込み画像５６を生成したら、図２１に示すように、上記第２の実施形態と同様の手順で、絞込み条件として設定された絞込み位置情報に対応する枡目を絞込み画像５６から切り出すことにより、絞込み画像５６からデータ領域絞込み画像１０４を生成する。そして、絞込み処理部１３２は、データ領域絞込み画像１０４を生成したら、縦軸領域５３のデータ領域絞込み画像１０４に対応する項目の枡目の部分を絞込み画像５６から切り出すことにより、絞込み画像５６から縦軸領域絞込み画像１０５を生成するとともに、横軸領域５４のデータ領域絞込み画像１０４に対応する項目の枡目の部分を絞込み画像５６から切り出すことにより、絞込み画像５６から横軸領域絞込み画像１０６を生成する。
【０１２６】
絞込み処理部１３２は、各絞込み画像１０４〜１０６を生成したら、上記第１及び第２の実施形態と同様に、これらの各絞込み画像１０４〜１０６、及び絞込み画像５６に関する各情報をデータ記憶部１３４に記憶させる。なお、図２１では、絞込み条件として設定された絞込み位置情報に対応する枡目のみを絞込み画像５６から切り出すようにしたが、これに限ることなく、上記第２の実施形態と同様に、対応する枡目を中心として十字状に切り出してもよいし、矩形状に切り出してもよい。
【０１２７】
次に、図２２に示すフローチャートを参照しながら、本実施形態の作用について説明する。なお、携帯電話４の液晶ディスプレイ２０にドキュメント画像表示画面６０を表示させる処理までは、上記第１及び第２の実施形態と同様であるから、説明を省略する。
【０１２８】
ユーザは、ドキュメント画像表示画面６０が液晶ディスプレイ２０に表示された後、そのドキュメント画像表示画面６０のドキュメント画像５０に含まれる表領域５２の所望の領域のみを閲覧したい場合に、操作部２１を介して絞込み指示アイコン６１を操作する。そして、絞込み条件入力画面６２を液晶ディスプレイ２０に表示させたり、ポインタ１１８をドキュメント画像表示画面６０上に表示させたりすることにより、絞込みキーと絞込み位置情報とを絞込み条件として設定し、その絞込み条件を含む絞込み要求をドキュメント画像配信部３の配信処理サーバ１３０に送信する。
【０１２９】
配信処理サーバ１３０のＣＰＵ３０は、携帯電話４からの絞込み要求を受信すると、その絞込み要求に含まれる絞込み条件の各情報とドキュメントＩＤとを絞込み処理部１３２に入力し、絞込み処理の実行を絞込み処理部１３２に指示する。
【０１３０】
絞込み処理部１３２は、ＣＰＵ３０から絞込み処理の実行が指示されると、その絞込み要求に含まれる絞込みキーを基に、上記第１の実施形態と同様の手順で、対象となる表領域５２に対して過去に同じ絞込みキーで絞込み要求があったか否かを判定する。絞込み処理部１３２は、過去に同じ絞込みキーの絞込み要求があったと判定すると、これに対応する絞込み領域のドキュメント画像５０上における位置の座標情報を絞込み領域テーブル４８から読み出す。
【０１３１】
一方、絞込み処理部１３２は、過去に同じ絞込みキーの絞込み要求がなかったと判定すると、今回の絞込み要求の絞込みキーを基に絞込み領域を検出する処理を行い、その結果を絞込み領域テーブル４８に記憶させるとともに、対応する絞込み領域ＩＤを絞込みテーブル４７に記憶させる。
【０１３２】
絞込み処理部１３２は、絞込み領域を検出する処理を行うか、あるいは絞込み領域テーブル４８から読み出すことによって、絞込み領域のドキュメント画像５０上における位置の座標情報を取得したら、続いて、今回の絞込み要求に含まれる絞込み位置情報を基に、上記第２の実施形態と同様の手順で、対象となる表領域５２に対して過去に同じ絞込み位置情報で絞込み要求があったか否かを判定する。
【０１３３】
絞込み処理部１３２は、過去に同じ絞込み位置情報の絞込み要求があったと判定すると、それに対応する各絞込み画像１０４〜１０６を各画像保管部１１３〜１１５から読み出す。
【０１３４】
一方、絞込み処理部１３２は、過去に同じ絞込み位置情報の絞込み要求がなかったと判定すると、絞込み領域を検出する処理を行うか、あるいは絞込み領域テーブル４８から読み出すことによって取得した絞込み領域のドキュメント画像５０上における位置の座標情報を基に、絞込み領域を表領域５２から切り出し、それをまとめて再構成するとともに、システムメモリ３１に記憶された画面サイズの情報を基に、閲覧を要求したユーザの携帯電話４の画面サイズに適したサイズに拡大することにより、絞込み画像５６を生成する。
【０１３５】
そして、絞込み処理部１３２は、絞込み画像５６を生成したら、絞込み条件として設定された絞込み位置情報に基づいて前述のように絞込み画像５６から各絞込み画像１０４〜１０６を生成する。絞込み処理部１３２は、各絞込み画像１０４〜１０６を生成したら、それらの各絞込み画像１０４〜１０６に絞込みＩＤを付与する。この後、絞込み処理部１３２は、それらの各絞込み画像１０４〜１０６を各画像保管部１１３〜１１５に保管させるとともに、各絞込み画像１０４〜１０６に付与した絞込みＩＤを表解析テーブル４６の対応する絞込みＩＤの項目の欄に書き込む。
【０１３６】
ＣＰＵ３０は、各画像保管部１１３〜１１５から読み出すか、あるいは絞込み処理部１３２に生成させることによって対応する各絞込み画像１０４〜１０６を取得したら、それらの各絞込み画像１０４〜１０６を要求元の携帯電話４に配信する。
【０１３７】
携帯電話４のＣＰＵ２２は、ドキュメント画像配信部３から各絞込み画像１０４〜１０６を受信すると、それらの各絞込み画像１０４〜１０６から合成絞込み画像１２０を生成するとともに、その合成絞込み画像１２０を含む絞込み画像表示画面１２２を生成し、その絞込み画像表示画面１２２を液晶ディスプレイ２０に表示させる。
【０１３８】
このように、絞込みキーと絞込み位置情報とを絞込み条件として設定し、この絞込み条件に基づいて絞込み処理を行うようにすれば、より細かく絞込みが行われるようになるので、表領域５２のユーザの所望する領域をより効率よく閲覧させることができる。
【０１３９】
なお、本実施形態では、過去に同じ絞込み位置情報の絞込み要求がなかったと判定した際に、絞込み領域を検出する処理を行うか、あるいは絞込み領域テーブル４８から読み出すことによって取得した絞込み領域のドキュメント画像５０上における位置の座標情報を基に、絞込み画像５６を逐一生成するようにしたが、これに限ることなく、各絞込み画像１０４〜１０６と同様に、一度生成した絞込み画像５６をデータ記憶部１３４に保管するようにしてもよい。
【０１４０】
［第４実施形態］
次に、本発明の第４の実施形態について説明する。なお、上記各実施形態と機能・構成上同一のものについては、同符号を付し、詳細な説明を省略する。図２３に示すように、本実施形態の配信処理サーバ１４０には、表インデックス情報生成部１４２が設けられている。
【０１４１】
表インデックス情報生成部１４２は、ユーザからドキュメントファイル１４の閲覧、すなわちドキュメント画像５０の閲覧が要求された際に、そのドキュメント画像５０に含まれる表領域５２の情報を表インデックス情報として生成する処理を行う。また、表インデックス情報生成部１４２は、対象のドキュメントファイル１４が複数のシートあるいはページに表を有している場合、それらの各シートや各ページの各表の情報を１つにまとめて表インデックス情報を生成する。
【０１４２】
表インデックス情報生成部１４２は、ユーザからの閲覧要求に応じて、例えば、そのドキュメントファイル１４のドキュメント画像５０に含まれる表領域５２の表名、及びその表領域５２の位置するシート番号やページ番号などの情報を対応する表解析テーブル４６から読み出し、それらの各情報をまとめることによって表インデックス情報を生成する。なお、表インデックス情報に含まれる情報は、上記に限ることなく、閲覧が要求されたドキュメントファイル１４に含まれる表を示すものであれば如何なる情報でもよい。
【０１４３】
配信処理サーバ１４０のＣＰＵ３０は、ユーザからドキュメントファイル１４の閲覧が要求されたことに応答して、対応するドキュメント画像５０を取得する処理を行うとともに、表インデックス情報を生成する処理を表インデックス情報生成部１４２に行わせる。そして、ＣＰＵ３０は、取得したドキュメント画像５０と、表インデックス情報生成部１４２が生成した表インデックス情報とを一まとめにして要求元の携帯電話４に配信する。
【０１４４】
携帯電話４のＣＰＵ２２は、ドキュメント画像配信部３からドキュメント画像５０及び表インデックス情報を受信すると、まず上記第１の実施形態と同様に、受信したドキュメント画像５０と、絞込み処理の実行を指示するための絞込み指示アイコン６１とからなるドキュメント画像表示画面６０を構成し、図２４（ａ）に示すように、そのドキュメント画像表示画面６０を液晶ディスプレイ２０に表示させる。
【０１４５】
ＣＰＵ２２は、ドキュメント画像表示画面６０を表示させた後、ユーザが操作部２１を介して絞込み指示アイコン６１を操作したことに応答して、図２４（ｂ）に示すインデックス表示画面１４４を液晶ディスプレイ２０に表示させる。インデックス表示画面１４４には、閲覧を要求したドキュメントファイル１４の表を含むシートのシート番号、あるいはページ番号、そのシートやページに含まれる表の表名、その表名の表を指定するためのチェックボックス１４５、絞込み条件として設定する絞込みキーを入力するための入力ボックス１４６、及びチェックボックス１４５での指定の結果や入力ボックス１４６への絞込みキーの入力の結果に応じた表の表示を指示するための表示指示アイコン１４７などが設けられている。
【０１４６】
このインデックス表示画面１４４は、閲覧を要求したドキュメントファイル１４に含まれる表の情報を一覧表示し、これらの情報を介して閲覧したい表、及びその表の所望の領域を指定できるようにするものである。ＣＰＵ２２は、表インデックス情報に含まれる表名やシート番号などの各情報に基づいてインデックス表示画面１４４を生成し、そのインデックス表示画面１４４を液晶ディスプレイ２０に表示させる。
【０１４７】
ＣＰＵ２２は、インデックス表示画面１４４を表示させた後、ユーザが操作部２１を介して表示指示アイコン１４７を操作したことに応答して、チェックボックス１４５で指定された表の表名、及び入力ボックス１４６に入力された文字列を絞込み条件としてまとめるとともに、ドキュメント画像５０のヘッダ部に記録されているドキュメントＩＤを読み出す。そして、絞込み条件の各情報とドキュメントＩＤとをまとめ、これを絞込み要求としてドキュメント画像配信部３の配信処理サーバ１４０に送信する。
【０１４８】
配信処理サーバ１４０のＣＰＵ３０は、携帯電話４からの絞込み要求を受信すると、その絞込み要求に含まれる絞込み条件の各情報とドキュメントＩＤとを絞込み処理部３６に入力し、絞込み処理部３６に絞込み画像５６を生成させる。この後、ＣＰＵ３０は、生成された絞込み画像５６を要求元の携帯電話４に配信する。
【０１４９】
携帯電話４のＣＰＵ２２は、ドキュメント画像配信部３から絞込み画像５６を受信したら、上記第１の実施形態と同様に、受信した絞込み画像５６や絞込み指示アイコン６１などからなる絞込み画像表示画面７０を構成し、図２４（ｃ）に示すように、その絞込み画像表示画面７０を液晶ディスプレイ２０に表示させる。
【０１５０】
次に、図２５に示すフローチャートを参照しながら、本実施形態の作用について説明する。ユーザは、携帯電話４を介してドキュメントファイル１４の閲覧を行う場合、まず操作部２１を操作してビューアプログラム２８の実行をＣＰＵ２２に指示することにより、ドキュメント閲覧システム２に対応したビューアを起動させる。そして、このビューアを介してドキュメント画像配信部３にアクセスし、所望のドキュメントファイル１４の閲覧を配信処理サーバ１４０に要求する。
【０１５１】
携帯電話４のＣＰＵ２２は、配信処理サーバ１０にドキュメントファイル１４の閲覧を要求する場合、そのドキュメントファイル１４のファイル名、当該ユーザの管理ＩＤ、当該ユーザの携帯電話４の端末名、及び当該携帯電話４のＩＰアドレスなどの各種の情報を閲覧要求に含めて配信処理サーバ１４０に送信する。
【０１５２】
配信処理サーバ１４０のＣＰＵ３０は、携帯電話４からドキュメントファイル１４の閲覧が要求されると、上記第１の実施形態で示したようにユーザ認証処理を行った後、ドキュメント画像保管部４４にアクセスし、閲覧が要求されたドキュメントファイル１４のドキュメントＩＤがヘッダ部に記憶されたドキュメント画像５０を検索することにより、閲覧が要求されたドキュメントファイル１４に対応するドキュメント画像５０が既に生成されているか否かを確認する。
【０１５３】
ＣＰＵ３０は、対応するドキュメント画像５０が生成されていることを確認すると、そのドキュメント画像５０をドキュメント画像保管部４４から読み出す。一方、ＣＰＵ３０は、生成されていないことを確認すると、ドキュメントＩＤに基づいて閲覧が要求されたドキュメントファイル１４をファイルサーバ１１から読み出すとともに、そのドキュメントファイル１４を画像変換部３４に入力し、対応するドキュメント画像５０を画像変換部３４に生成させる。
【０１５４】
ＣＰＵ３０は、画像変換部３４にドキュメント画像５０を生成させたら、対応するドキュメントＩＤを表領域抽出部３５に入力することにより、そのドキュメント画像５０に対する表領域抽出処理を表領域抽出部３５に実行させる。
【０１５５】
ＣＰＵ３０は、画像変換部３４に生成させるか、あるいはドキュメント画像保管部４４から読み出して、閲覧が要求されたドキュメントファイル１４に対応するドキュメント画像５０を取得したら、閲覧が要求されたドキュメントファイル１４のドキュメントＩＤを表インデックス情報生成部１４２に入力することにより、表インデックス情報生成部１４２に表インデックス情報の生成を指示する。
【０１５６】
表インデックス情報生成部１４２は、ＣＰＵ３０から表インデックス情報の生成が指示されると、まず入力されたドキュメントＩＤを基にファイル情報管理テーブル４５を参照し、そのドキュメントＩＤに関連付けられた表ＩＤを確認する。表インデックス情報生成部１４２は、表ＩＤを確認したら、その表ＩＤを基に表解析テーブル４６を参照し、その表ＩＤに関連付けられた表名及びシート番号の情報を表解析テーブル４６から読み出す。そして、表インデックス情報生成部１４２は、表解析テーブル４６から読み出した各情報をまとめることにより、表インデックス情報を生成する。
【０１５７】
ＣＰＵ３０は、表インデックス情報生成部１４２に表インデックス情報を生成させた後、その表インデックス情報と、これに対応するドキュメント画像５０とをまとめて要求元の携帯電話４に配信する。
【０１５８】
携帯電話４のＣＰＵ２２は、ドキュメント画像配信部３からドキュメント画像５０及び表インデックス情報を受信すると、そのドキュメント画像５０を含むドキュメント画像表示画面６０を生成し、液晶ディスプレイ２０に表示させる。
【０１５９】
ユーザは、ドキュメント画像表示画面６０が液晶ディスプレイ２０に表示された後、これに対応するドキュメントファイル１４に含まれる各表の所望の領域のみを閲覧したい場合に、操作部２１を介して絞込み指示アイコン６１を操作し、インデックス表示画面１４４を液晶ディスプレイ２０に表示させる。
【０１６０】
そして、ユーザは、インデックス表示画面１４４を表示させた後、所望の表のチェックボックス１４５を操作し、当該チェックボックス１４５にチェックマークを表示させることにより、これに対応する表を絞込みの対象として指定するとともに、入力ボックス１４６に絞込み条件となる所定の文字列を入力し、表示指示アイコン１４７を操作することにより、これらの入力結果に応じた表の表示を指示する。この際、チェックボックス１４５のみを操作し、入力ボックス１４６を空欄として表示を指示すれば、チェックボックス１４５で指定した表そのものを絞込み条件として設定することもできる。
【０１６１】
このように、インデックス表示画面１４４を介して所望の表、及び表の中の所望の領域を指定できるようにすれば、閲覧を要求したドキュメントファイル１４が複数のシートを有し、各シートに表が含まれている場合にも、ユーザの所望する表がどのシートに含まれているかを容易に把握することができる。これにより、閲覧したい表の指定や絞込み条件の設定に関する操作性をより向上させることができるとともに、不要なドキュメント画像５０をダウンロードする必要がなくなるので、通信コストの削減を図ることもできる。
【０１６２】
ＣＰＵ２２は、表示指示アイコン１４７が操作されると、チェックボックス１４５で指定された表の表名、及び入力ボックス１４６に入力された文字列を絞込み条件としてまとめるとともに、ドキュメント画像５０のヘッダ部に記録されているドキュメントＩＤを読み出し、これらの各情報を絞込み要求としてまとめてドキュメント画像配信部３の配信処理サーバ１４０に送信する。そして、以下上記第１の実施形態と同様に、配信処理サーバ１４０から絞込み画像５６を受信し、その絞込み画像５６を含む絞込み画像表示画面７０の生成、及びその絞込み画像表示画面７０の液晶ディスプレイ２０への表示を行う。
【０１６３】
［第５実施形態］
次に、本発明の第５の実施形態について説明する。なお、上記各実施形態と機能・構成上同一のものについては、同符号を付し、詳細な説明を省略する。図２６に示すように、本実施形態の配信処理サーバ１５０には、ナビゲータ画像生成部１５２が設けられている。ナビゲータ画像生成部１５２は、ユーザからの絞込み要求に応じて各絞込み画像１０４〜１０６の配信を行う際に、各絞込み画像１０４〜１０６が表領域５２の全体の何処に位置しているかを示すナビゲータ画像１５３を生成する。
【０１６４】
ナビゲータ画像生成部１５２は、絞込み要求に含まれる絞込み位置情報を基に対象となる表領域５２を特定し、その表領域５２をドキュメント画像５０から切り出すとともに、閲覧を要求したユーザの携帯電話４の画面サイズに応じて、その切り出した表領域５２を拡大又は縮小させることにより、ナビゲータ画像１５３を生成する。また、この際、ナビゲータ画像生成部１５２は、切り出した表領域５２のデータ領域絞込み画像１０４に対応する部分に枠線１５３ａを設けるとともに、縦軸領域絞込み画像１０５に対応する部分に枠線１５３ｂを設け、横軸領域絞込み画像１０６に対応する部分に枠線１５３ｃを設ける（図２７参照）。
【０１６５】
配信処理サーバ１５０のＣＰＵ３０は、携帯電話４からの絞込み要求を受信すると、その絞込み要求に含まれる絞込み条件の絞込み位置情報とドキュメントＩＤとを絞込み処理部１０２に入力し、絞込み処理部１０２に絞込み処理を実行させる。また、これと同時に、ＣＰＵ３０は、絞込み要求に含まれる絞込み条件の絞込み位置情報とドキュメントＩＤとをナビゲータ画像生成部１５２に入力し、ナビゲータ画像生成部１５２にナビゲータ画像１５３を生成させる。この後、ＣＰＵ３０は、絞込み処理によって生成された各絞込み画像１０４〜１０６と、ナビゲータ画像生成部１５２によって生成されたナビゲータ画像１５３とを要求元の携帯電話４に配信する。
【０１６６】
携帯電話４のＣＰＵ２２は、ドキュメント画像配信部３から各絞込み画像１０４〜１０６とナビゲータ画像１５３とを受信したら、上記第２の実施形態と同様の手順で、各絞込み画像１０４〜１０６から合成絞込み画像１２０を生成する。そして、図２７に示すように、その合成絞込み画像１２０とナビゲータ画像１５３とを含む絞込み画像表示画面１５４を生成し、その絞込み画像表示画面１５４を液晶ディスプレイ２０に表示させる。
【０１６７】
このように、ナビゲータ画像１５３を合成絞込み画像１２０とともに表示させるようにすれば、合成絞込み画像１２０を表示させた際にも、対象の表領域５２の全体のどの部分を見ているかをユーザが容易に認識することができ、携帯電話４でドキュメントファイル１４の内容を閲覧する際の閲覧性をより高めることができる。なお、ナビゲータ画像１５３は、上記のように合成絞込み画像１２０と同時に表示させる表示態様に限ることなく、例えば、合成絞込み画像１２０と切り替えて表示させるようにしてもよいし、ナビゲータ画像１５３の表示／非表示を切り替えられるようにしてもよい。
【０１６８】
［第６実施形態］
次に、本発明の第６の実施形態について説明する。なお、上記各実施形態と機能・構成上同一のものについては、同符号を付し、詳細な説明を省略する。図２８に示すように、本実施形態の携帯電話１６０には、ＧＰＳ受信機（端末位置情報取得手段）１６２が設けられている。ＧＰＳ受信機１６２は、ＧＰＳ衛星からの信号を受信することにより、携帯電話１６０の現在位置を示す端末位置情報（緯度、経度）を取得する。この携帯電話１６０は、ＧＰＳ受信機１６２が取得した端末位置情報を絞込み条件に含めることにより、ドキュメントファイル１４に含まれる表の各情報から当該携帯電話４の現在位置に応じた情報のみを閲覧できるようにする位置情報リンク機能を実現する。
【０１６９】
携帯電話１６０のＣＰＵ２２は、ユーザからビューアプログラム２８の実行が指示され、ビューアを起動させたことに応答して、図２９に示す閲覧要求画面１６４を表示させる。閲覧要求画面１６４は、所望のドキュメントファイル１４の閲覧をドキュメント画像配信部３に要求するための各種の情報の入力、及びその閲覧の開始を指示するための画面である。
【０１７０】
閲覧要求画面１６４には、閲覧対象とするドキュメントファイル１４のファイル名を入力するためのファイル名入力ボックス１６５と、絞込み条件として設定する絞込みキーを入力するための絞込みキー入力ボックス１６６と、位置情報リンク機能のＯＮ／ＯＦＦの設定を選択的に指示するためのＯＮ用ラジオボタン１６７、ＯＦＦ用ラジオボタン１６８と、ドキュメントファイル１４の閲覧の開始を指示するための閲覧開始指示アイコン１６９とが設けられている。
【０１７１】
ＣＰＵ２２は、閲覧開始指示アイコン１６９が操作されたことを検知すると、これに応答してファイル名入力ボックス１６５に入力されたファイル名、絞込みキー入力ボックス１６６に入力された絞込みキー、及び当該ユーザの管理ＩＤ、携帯電話１６０の端末名、携帯電話１６０のＩＰアドレスなどの各種の情報を閲覧要求としてまとめるとともに、各ラジオボタン１６７、１６８の設定の状態を確認することにより、ユーザが位置情報リンク機能をＯＮに設定したかＯＦＦに設定したかを判定する。
【０１７２】
ＣＰＵ２２は、ユーザが位置情報リンク機能をＯＦＦに設定したと判定すると、上記のようにまとめた閲覧要求をドキュメント画像配信部３の配信処理サーバ１０に配信することにより、ユーザが指定したドキュメントファイル１４の閲覧を配信処理サーバ１０に要求する。
【０１７３】
一方、ＣＰＵ２２は、ユーザが位置情報リンク機能をＯＮに設定したと判定すると、ＧＰＳ受信機１６２に端末位置情報を取得させ、その端末位置情報を上記の閲覧要求にさらに含める。この後、ＣＰＵ２２は、端末位置情報を含めた閲覧要求をドキュメント画像配信部３の配信処理サーバ１０に配信し、ユーザが指定したドキュメントファイル１４の閲覧を配信処理サーバ１０に要求する。
【０１７４】
配信処理サーバ１０のＣＰＵ３０は、端末位置情報を含む閲覧要求を受信すると、上記第１の実施形態と同様の手順でユーザ認証処理や対応するドキュメント画像５０の取得を行った後、閲覧要求に含まれる端末位置情報を基に、その端末位置情報が示す位置の地名（都道府県や市区町村の名称）の特定を行い、その地名の文字列の情報を閲覧要求に含まれる絞込みキーとともに絞込み条件として設定する。
【０１７５】
例えば、端末位置情報が北緯４３度、東経１４１度を示している場合、ＣＰＵ３０は、これに対応する地名を北海道・札幌市と特定し、その文字列を絞込み条件として設定する。なお、地名の特定は、緯度、経度と、その地名とを関連付けたデータベースを予め用意しておき、このデータベースを参照するなどして行えばよい。
【０１７６】
ＣＰＵ３０は、絞込み条件を設定したら、その絞込み条件の各情報を絞込み処理部３６に入力し、絞込み処理の実行を絞込み処理部３６に指示する。絞込み処理部３６は、ＣＰＵ３０から絞込み処理の実行が指示されると、周知の文字認識技術を用いることにより、閲覧対象のドキュメント画像５０に含まれる表領域５２から絞込み条件として設定された地名の文字列、及び絞込みキーの文字列に関連する領域を検出する。そして、その領域をドキュメント画像５０から切り出すことによって絞込み画像５６を生成する。
【０１７７】
例えば、「北海道：札幌市」の文字列が地名として設定され、「企業名：ほくれん」の文字列が絞込みキーとして設定されている場合、絞込み処理部３６は、図３０に示すように、これらの各文字列に関連する領域をドキュメント画像５０の表領域５２から検出し、その領域を切り出すことによって絞込み条件に応じた絞込み画像５６を生成する。
【０１７８】
ＣＰＵ３０は、絞込み処理部３６に絞込み画像５６を生成させたら、その絞込み画像５６を要求元の携帯電話４に配信する。携帯電話４のＣＰＵ２２は、ドキュメント画像配信部３から絞込み画像５６を受信すると、その絞込み画像５６を含む絞込み画像表示画面７０を生成し、液晶ディスプレイ２０に表示させる。
【０１７９】
このように、携帯電話１６０で端末位置情報を取得し、その端末位置情報を閲覧要求に含めることによって、これに関連した絞込み画像５６、すなわち携帯電話１６０の現在位置に応じた絞込み画像５６を受信するようにすれば、ユーザの外出先に応じた必要な情報を容易に閲覧することが可能になるので、携帯電話１６０でドキュメントファイル１４の内容を閲覧する際の閲覧性をより高めることができる。
【０１８０】
なお、本実施形態では、ドキュメント画像配信部３にドキュメントファイル１４の閲覧を要求する際に、その閲覧要求に端末位置情報を含め、これに対応する絞込み画像５６を配信させるようにしたが、これに限ることなく、ドキュメント画像表示画面６０を介してドキュメント画像５０を閲覧した後、そのドキュメント画像５０に対する絞込み処理の実行をドキュメント画像配信部３に要求する際に、その絞込み要求に端末位置情報を含めるようにしてもよい。
【０１８１】
また、本実施形態では、ＧＰＳ受信機１６２によって端末位置情報を取得するようにしたが、端末位置情報の取得方法は、これに限定されるものではない。例えば、基地局５と通信を行い、基地局５の持つ位置情報を端末位置情報として取得するようにしてもよい。さらに、本実施形態では、端末位置情報と絞込みキーとを絞込み条件に設定した例を示したが、端末位置情報のみを絞込み条件として設定してもよいし、ドキュメント画像５０上での座標情報など他の情報と組み合わせて設定してもよい。
【０１８２】
上記各実施形態では、ドキュメントファイル１４の閲覧を要求し、ドキュメントファイル１４を画像化することによって生成されるドキュメント画像５０を配信する例を示したが、本発明は、これに限ることなく、初めからドキュメント画像５０を保管しておき、ドキュメント画像５０自体の閲覧を要求するものでもよい。
【０１８３】
上記各実施形態では、社内で作成されたドキュメントファイル１４の内容を社外でも閲覧できるようにするドキュメント閲覧システム２に、本発明を適用した例を示したが、本発明は、これに限ることなく、例えば、電子書籍などの情報をドキュメント画像５０として配信するコンテンツプロバイダのシステムなどに本発明を適用してもよい。
【０１８４】
上記各実施形態では、携帯端末として携帯電話４を示したが、携帯端末は、これに限ることなく、例えば、ＰＨＳやＰＤＡ、スマートフォンなどでもよいし、さらには、ネットブックなどの携帯型のパーソナルコンピュータでもよい。
【０１８５】
上記各実施形態では、配信処理サーバ１０とファイルサーバ１１との２台のサーバからなるドキュメント画像配信部３をドキュメント画像配信装置として示したが、ドキュメント画像配信装置の構成は、これに限ることなく、さらに多くのサーバからなるものでもよいし、１台のサーバ（コンピュータ）からなるものでもよい。
【符号の説明】
【０１８６】
２  ドキュメント閲覧システム
３  ドキュメント画像配信部（ドキュメント画像配信装置）
４、１６０  携帯電話（携帯端末）
６  インターネット（ネットワーク）
１０、１００、１３０、１４０、１５０  配信処理サーバ
２０  液晶ディスプレイ（表示部）
２１  操作部（絞込み条件設定手段）
２２  ＣＰＵ（表示制御部）
３０  ＣＰＵ（配信制御部）
３５  表領域抽出部
３６、１０２、１３２  絞込み処理部
３７、１１０、１３４  データ記憶部
５０  ドキュメント画像
５２  表領域
５３  縦軸領域
５４  横軸領域
５５  データ領域
５６  絞込み画像
１０４  データ領域絞込み画像
１０５  縦軸領域絞込み画像
１０６  横軸領域絞込み画像
１２０  合成絞込み画像
１４０  表インデックス情報生成部
１４４  インデックス表示画面
１５２  ナビゲータ画像生成部
１５３  ナビゲータ画像
１６２  ＧＰＳ受信機（端末位置情報取得手段）
【図１】
0005426501.tif 000002
【図２】
0005426501.tif 000003
【図３】
0005426501.tif 000004
【図４】
0005426501.tif 000005
【図５】
0005426501.tif 000006
【図６】
0005426501.tif 000007
【図７】
0005426501.tif 000008
【図８】
0005426501.tif 000009
【図９】
0005426501.tif 000010
【図１０】
0005426501.tif 000011
【図１１】
0005426501.tif 000012
【図１２】
0005426501.tif 000013
【図１３】
0005426501.tif 000014
【図１４】
0005426501.tif 000015
【図１５】
0005426501.tif 000016
【図１６】
0005426501.tif 000017
【図１７】
0005426501.tif 000018
【図１８】
0005426501.tif 000019
【図１９】
0005426501.tif 000020
【図２０】
0005426501.tif 000021
【図２１】
0005426501.tif 000022
【図２２】
0005426501.tif 000023
【図２３】
0005426501.tif 000024
【図２４】
0005426501.tif 000025
【図２５】
0005426501.tif 000026
【図２６】
0005426501.tif 000027
【図２７】
0005426501.tif 000028
【図２８】
0005426501.tif 000029
【図２９】
0005426501.tif 000030
【図３０】
0005426501.tif 000031